(57)【要約】【目的】ＧＰＳ利用者装置を有効に活用する。【構成】ペン入力コンピュータ３に電話制御システム７、ＦＡＸ制御システム、データ伝送システムを載せるとともに、ＧＰＳ利用者装置８を接続する。  ＧＰＳ利用者装置８から現在位置を知り、現在位置のデータを先方に送信する。【選択図】図１
2006230015.tif 000002
【特許請求の範囲】
【請求項１】
公衆通信回線に無線によって接続され、該公衆通信回線を経由して発信、または受信を行う無線通信手段と、
該無線通信手段に対する制御指令の出力、上記無線通信手段を経由して上記公衆通信回線からデータを入力、または上記無線通信手段を経由して上記公衆通信回線にデータを送出する携帯コンピュータと、
上記無線通信手段と上記携帯コンピュータとを組み合わせた状態で保持する筺体と
を備える携帯型コミュニケータであって、
上記携帯コンピュータは、上記筺体に保持された、又は該筺体外のＧＰＳ利用者装置から位置座標データを入力する位置座標データ入力手段と、
該位置座標データを用いて得たデータを利用する位置座標データ利用手段とを備えることを特徴とする携帯型コミュニケータ。
【発明の詳細な説明】
【技術分野】
【０００１】
本発明は、携帯型無線電話装置、又は携帯型無線データ通信装置に関する。
【背景技術】
【０００２】
従来、携帯型の情報装置として、無線呼出装置や無線電話装置、あるいはＧＰＳ利用者装置が用いられている。
無線呼出装置は、呼出信号やメッセージを受信して、ビープ音を出力したり、或いはメッセージをディスプレイに表示する機能を有する。
【０００３】
無線電話装置は、公衆通信回線を経由して発信、又は受信する機能を有する。  無線電話装置は、通話に用いられたり、或いはＦＡＸ装置や携帯型のパーソナルコンピュータに接続される。
【０００４】
ＧＰＳ利用者装置は、ＮＡＶＳＴＡＲ  ＧＰＳ（ｎａｖｉｇａｔｉｏｎ  ｓａｔｅｌｌｉｔｅ  ｔｉｍｅ  ａｎｄ  ｒａｎｇｉｎｇ  ｐｏｓｉｔｉｏｎｉｎｇ  ｓｙｓｔｅｍ）を利用するためのものであって、地球上の位置や高度のデータを提供する。
【発明の開示】
【発明が解決しようとする課題】
【０００５】
しかしながら従来の情報装置では、無線電話装置と、携帯型コンピュータと、ＧＰＳ利用者装置とを持ち歩けば、個々の機能を活用することは可能であるが、全てを携帯することが現実的ではなく、かつ相互を組み合わせてそれらを複合した機能を得ることができなかった。
【０００６】
本発明は、上記の問題を解決して、これらの個々の機能を複合させた機能を、実用的に得ることを目的とする。
【課題を解決するための手段】
【０００７】
本発明の携帯型コミュニケータは、公衆通信回線に無線によって接続され、該公衆通信回線を経由して発信、または受信を行う無線通信手段と、該無線通信手段に対する制御指令の出力、上記無線通信手段を経由して上記公衆通信回線からデータを入力、または上記無線通信手段を経由して上記公衆通信回線にデータを送出する携帯コンピュータと、上記無線通信手段と上記携帯コンピュータとを組み合わせた状態で保持する筺体とを備える携帯型コミュニケータであって、上記携帯コンピュータは、上記筺体に保持された、又は該筺体外のＧＰＳ利用者装置から位置座標データを入力する位置座標データ入力手段と、該位置座標データを用いて得たデータを利用する位置座標データ利用手段とを備えることを要旨とする。
【発明の効果】
【０００８】
本発明の携帯型コミュニケータは、例えば携帯コンピュータによって作成、又は入力した音声データ、ファクシミリデータ、又はワードプロセッサーデータなどやＧＰＳ利用者装置から得たデータに基づくデータを、公衆通信回線に接続された所望の相手に送ったり、先方から受けたり、あるいは現在の位置のデータに基づいて、所望の処理を行うことができる。
【０００９】
この結果、利便性が高い情報交換装置が得られるという極めて優れた効果を奏する。
【発明を実施するための最良の形態】
【００１０】
本発明の携帯型コミュニケータは、携帯コンピュータが無線通信手段の制御指令を出力して、無線通信手段に公衆通信回線を経由しての発信、又は受信を行わせる。
または、携帯コンピュータが無線通信手段と、公衆通信回線とを経由して、データを送出する。
【００１１】
あるいは、携帯コンピュータが公衆通信回線と、無線通信手段とを経由して、データを入力する。
また、これらの機能を有する無線通信手段と、携帯コンピュータとは、組み合わされた状態で筺体によって保持されている。
【００１２】
その上、携帯コンピュータは、位置座標データ入力手段によって、ＧＰＳ利用者装置から、位置座標データを入力し、位置座標データ利用手段によってこのデータを利用することができる。
【００１３】
これらにより、例えば携帯コンピュータによって作成、又は入力した音声データ、ファクシミリデータ、又はワードプロセッサーデータなどを、公衆通信回線に接続された所望の相手に送ったり、先方から受けたり、あるいは現在の位置のデータに基づいて、所望の処理を行うことができる。
【００１４】
しかも、これらは、無線通信手段の通信範囲内であり、かつ携帯可能な所であれば何処に居ても可能である。
【実施例】
【００１５】
次に本発明の実施例を説明する。図１、図２は、パーソナルコミュニケータ１の斜視図、図３は、そのブロック図である。
パーソナルコミュニケータ１は、ペン入力デバイス３と、本体５と、無線電話装置７と、ＧＰＳ利用者装置８とを備えている。ペン入力デバイス３は、収容枠９に保持されており、収容枠９と本体５とは、連結部１１で矢印ＹＹ方向に開閉可能に連結されている。収容枠９と、本体５との間には、図１に示す開いた状態の保持と、図２に示す閉じた状態の保持とを行なう図示しない保持機構が設けられている。
【００１６】
収容枠９には、マイク１３と、ディスプレイ１５と、オンスイッチ１７と、オフスイッチ１９とがペン入力デバイス３の近傍に取り付けられている。マイク１３の近傍には、「マイク」レタリング１３Ａが施されており、オンスイッチ１７の近傍には「オン」レタリング１７Ａ、オフスイッチ１９の近傍には「オフ」レタリング１９Ａが施されている。オンスイッチ１７と、オフスイッチ１９とは、各々２個のスイッチパネル１７ＡＡ、１７ＢＢ、１９ＡＡ、１９ＢＢを備えている。これらは、収容枠９の表面より３ミリメートル凹状態で配設されている。スイッチパネル１７ＡＡと、１７ＢＢとは、両方ともほぼ同時に操作された場合にオン信号を出力する。スイッチパネル１９ＡＡと、１９ＢＢとは、両方ともほぼ同時に操作された場合に、オフ信号を出力する。これにより、携帯時などに誤って手などが触れることによる誤操作が防止される。この結果、収容枠９の表面へのスイッチの取付が可能になる。
【００１７】
無線電話装置７と、本体５とは、収容箱２１に収容されている。収容箱２１には、ＣＰＵ２３と、音声解析プロセッサ２４と、ＲＯＭ２５と、ＲＡＭ２７と、ＥＥＰＲＯＭ２９と、ペン入力コントローラユニット３１と、入力インタフェース３３と、蓄電池３５と、電源ソケット３７、３９と、電話コントローラ４１と、音声信号発生ユニット４３と、入出力コントローラ４５と、イヤー通話コントローラ４７と、イヤー通話器４９と、スピーカ５１と、スピーカオンスイッチ５２と、ディスプレイコントローラ５３と、入力ペン５
５と、入力ペン収納孔５７と、ペン取り出しボタン５９と、出力インタフェース６１と、モニタランプ６３と、モニタスピーカ６５と、アッテネータ６６と、電話出力コントローラ６７と、電話出力コネクタ６９と、データ入出力コントローラ７１と、データ入出力コネクタ７３と、内蔵アプリケーションコネクタ７４と、ＥＰＲＯＭコネクタ７６と、カードコネクタ７５、７７と、カード収納部７９と、電源コントローラ８１と、スピーカ収納部８３と、イヤー通話器収納具８５と、足８７と、無線電話ユニット８９と、アンテナ９１と、アンテナ収納部９３とが備えられている。
【００１８】
内蔵アプリケーションコネクタ７４には、アプリケーションソフトウエアＲＯＭ９４が差し込まれる。ＥＰＲＯＭコネクタ７６には、地図データＲＯＭ９６が差し込まれる。アプリケーションソフトウエアＲＯＭ９４には、ワードプロセッサソフトと、データベースソフトと、ナビゲーションソフトとが格納されている。ワードプロセッサソフトは、パーソナルコミュニケータ１にワードプロセッサ機能を持たせるためのものである。データベースソフトは、パーソナルコミュニケータ１にデータベース機能を持たせるためのものである。地図データＲＯＭ９６は、道路地図や地名、施設名などの地図データと、公的施設の住所や電話番号などの地図関連データとを備えている。例えば、ＪＡＦ等のロードサービスや、タクシ、警察署などの住所、位置座標、電話番号などの地図関連データを備えている。電話番号は、１の名称に対して、課毎や要件先毎に複数登録されている。
【００１９】
ナビゲーションソフトは、パーソナルコミュニケータ１にナビゲーション機能を持たせるためのものである。ナビゲーション機能としては、ＧＰＳ利用者装置８から読み込んだ位置座標と高度の現在位置データＮＥＨに基づいて、現在位置の近傍や所定範囲の地図データを地図データＲＯＭ９６から読み込んで、ペン入力デバイス３の表示面３Ｃに表示するものがある。
【００２０】
カード収納部７９には、アプリケーションソフトウエアカード９５、９７が収納される。アプリケーションソフトウエアカード９５、９７は、カードコネクタ７５、７７に接続される。電話出力コネクタ６９には、電話ケーブル９９が接続される。電話ケーブル９９は、ファクシミリ装置１０１に接続される。データ入出力コネクタ７３には、データ出力ケーブル１０３が接続される。データ出力ケーブル１０３は、パーソナルコンピュータ１０５、プリンタ１０７、又はＧＰＳ利用者装置８に接続される。
【００２１】
無線電話装置７は、無線電話ユニット８９と、イヤー通話コントローラ４７と、入出力コントローラ４５と、イヤー通話器４９と、スピーカ５１と、マイク１３と、アンテナ９１とから構成されており、図示しない無線電話網との間で、発信、及び受信を行う機能を有する。電話コントローラ４１は、ＣＰＵ４１からの指令に基づいて、入出力コントローラ４５と、無線電話ユニット８９とを制御する。音声信号発生ユニット４３は、ＣＰＵ２３からの指令に基づいて所定の音声を合成し、入出力コントローラ４５を経由して無線電話ユニット８９に出力する。
【００２２】
入力インタフェース３３は、蓄電池３５の電圧と消費電流と充電電流とを検出する。電源コントローラ８１は、オンスイッチ１７が操作された場合には、パーソナルコミュニケータ１全体に電源を供給してアクティブ状態にし、オフスイッチ１９が操作された場合には、パーソナルコミュニケータ１の待機系に電源を供給して、待機状態にする。
【００２３】
ペン入力デバイス３は、液晶ディスプレイ３Ａと、センサ層３Ｂとを備えている。液晶ディスプレイ３Ａは、ペン入力コントローラユニット３１と接続されており、表示面３Ｃに所定の画像データを表示する。センサ層３Ｂは、ペン入力コントローラユニット３１に接続されており、液晶ディスプレイ３Ａの下に配設されて、入力ペン５５のペン先５５Ａの位置を検出する。入力ペン５５は、ペン先５５Ａの近傍に図示しないコイルが設けられ
ている。入力ペン５５は、クリック／ドラッグ用のボタン５５Ｂを備えている。ペン入力デバイス３と、入力ペン５５とは、周知の電磁授受方式によって、ペン入力での位置を検出する。ペン入力デバイス３は、ＲＯＭ２５内に格納されているペン入力デバイスによって、キーボードを用いることなく文字入力の機能と、ポインティングデバイスの機能とを有する。
【００２４】
スピーカ５１は、図１に示すように、スピーカ本体５１Ａと、支持部材５１Ｂと、連結部材５１Ｃとを備えている。スピーカ本体５１Ａと、支持部材５１Ｂとは、連結部材５１Ｃによって矢印ＹＡ、ＹＢ方向に回動可能に連結されている。スピーカ本体５１Ａと、支持部材５１Ｂとは、矢印ＹＣ方向に押されることによって、スピーカ収納部８３に収納される。また、スピーカ５１は、スピーカオンスイッチ５２に接続されており、矢印ＹＤ方向に引き出されると、「オフ」状態から「オン」状態に切り替わる。支持部材５１Ｂは、図示しない排出機構に連結されており収納状態で、「押」レタリング部５１Ｄを矢印ＹＣ方向に押し込むと、スピーカ本体５１Ａを使用位置まで飛び出させる。図示しない排出機構には、スピーカオンスイッチ５２の図示しない操作リンクが取り付けられている。
【００２５】
イヤー通話器４９は、使用しない場合には、イヤー通話器収納具８５に収納されている。また、使用する場合には、引き出されて使用される。これは、使用後、指掛け孔８５Ｂに指を掛けて、矢印８５Ａに従ってイヤー通話器収納具８５を回動すると、収納される。
【００２６】
アンテナ９１は、通常、アンテナ収納部９３に収納されている。また、送受信状態を向上させる場合には、引き出して用いる。このため、矢印ＹＥ、ＹＦ方向の移動自由度と、矢印ＹＨ、ＹＧ方向への回動性とを備えている。
【００２７】
入力ペン５５は、図２に示すように、使用しない場合は、入力ペン収納孔５７内に格納されている。ペン取り出しボタン５９は、押し込まれると、入力ペン５５を飛び出させる図示しない排出機構に連結されている。
【００２８】
ＲＯＭ２５は、制御プログラムや変数テーブルを格納している。ＥＥＰＲＯＭ２９は、設定値や指定値などを保持する。
ＧＰＳ利用者装置８は、周知の構成としてのアンテナ８Ａと、座標演算装置８Ｂと、ディスプレイ８Ｃと、操作ボタン８Ｄとを備えており、現在位置の位置座標と、高度との現在位置データＮＥＨを出力する。ＧＰＳ利用者装置８は、データ出力ケーブル１０３によって、パーソナルコミュニケータ１のデータ入出力コントローラ７１に接続され、現在位置データＮＥＨをパーソナルコミュニケータ１に出力する。ディスプレイ８Ｃは、現在位置の座標ＮＥと高度Ｈとを、表示する。操作ボタン８Ｄは、電源のオンオフの操作や計測モードの設定などを行なう。
【００２９】
次にＣＰＵ２３によって実行される制御を説明する。
図４は、ディスプレイ１５の表示状態の説明図、図５は、ディスプレイ制御の説明図、図６は、ディスプレイ制御処理ルーチンのフローチャートである。
【００３０】
図４の（Ａ）に示すように、ディスプレイ１５の表示面１５Ａは、電源残量表示領域１５Ｂと、動作状態表示領域１５Ｃとを備えている。電源残量表示領域１５Ｂは、「電源」表示１５Ｄと、「０％」表示１５Ｅと、「１００％」表示１５Ｆと、残量表示１５Ｇとを備えている。残量表示１５Ｇは、蓄電池３５の残量を棒グラフ表示する。動作状態表示領域１５Ｃは、図５に示す（Ａ）〜（Ｋ）のような種類の表示態様を有する。
【００３１】
図６に示すディスプレイ制御処理はＣＰＵ２３によって所定時間毎に実行される。まず、電源容量検出が行われる（ステップ１００、以後ステップをＳと記す）。電源容量は、
図示しない電源容量算出処理によって、入力インタフェース３３を介して入力した蓄電池３５の電圧と、消費電流、充電電流の積分値とに基づいて推定する。次いで、電源容量表示を行う（Ｓ１１０）。表示は、残量表示１５Ｇにより行う。例えば、電源容量が１００％であれば、図４の（Ａ）に示すように表示し、８０％であれば、図４の（Ｂ）に示すように表示する。
【００３２】
次に、受信待機中かを判断する（Ｓ１２０）。受信待機中は、ＲＡＭ２７の所定エリアに設定される受信待機中フラグのセット状態によって判断する。受信待機中でなければそのまま次の処理に移行し、受信待機中であれば受信待機中表示を行う（Ｓ１３０）。受信待機中表示では、ディスプレイ１５に図５の（Ａ）、又は（Ｉ）、（Ｊ）、（Ｋ）に示した表示を行う。
【００３３】
次いで、ＦＡＸ受信中かの判断を行う（Ｓ１４０）。ＦＡＸ受信中は、ＦＡＸ受信中フラグによって行う。ＦＡＸ受信中であれば、ＦＡＸ受信中表示を行う（Ｓ１５０）。ＦＡＸ受信中表示は、図５の（Ｂ）に示すように行う。
【００３４】
以後、同様にデータ受信中であれば（Ｓ１６０）、図５の（Ｃ）のようなデータ受信中表示（Ｓ１７０）、ＦＡＸ送信中であれば（Ｓ１８０）、図５の（Ｄ）のようなＦＡＸ送信中表示（Ｓ１９０）、呼出中であれば（Ｓ２００）、図５の（Ｅ）のような呼出中表示（Ｓ２１０）、データ送信中であれば（Ｓ２２０）、図５の（Ｆ）のようなデータ送信中表示（Ｓ２３０）、通話中であれば（Ｓ２４０）、図５の（Ｇ）のような通話表示（Ｓ２５０）、留守録中であれば（Ｓ２６０）、図５の（Ｈ）のような留守録中表示（Ｓ２７０）を行なう。
【００３５】
次に、データ格納量を検出する（Ｓ２８０）。データ格納量は、留守録のデータ格納量と、受信ＦＡＸのデータ格納量と、受信データのデータ格納量とを検出する。次いで、データ格納量表示を行う（Ｓ２９０）。留守録の格納量は、図５の（Ｉ）に示すように、ＦＡＸの格納量は、図５の（Ｊ）に示すように、受信データの格納量は、図５の（Ｋ）で示すように行う。
【００３６】
以上のディスプレイ制御は、オンスイッチ１７、オフスイッチ１９の操作状態に拘りなく常時行われる。これにより、パーソナルコミュニケータ１の動作状態を常時モニタすることができる。
【００３７】
図７はモニタ制御処理ルーチンのフローチャートである。ＣＰＵ２３によって所定時間毎に実行される。まず、受信中かの判断を行う（Ｓ３００）。受信中であれば、受信表示を行う（Ｓ３１０）。受信表示は、モニタランプ６３をグリーン点灯させるとともに、モニタスピーカ６５に受信音を出力させる。受信音の音量は、アッテネータ６６によって調整される。
【００３８】
次いで、送信中の判断を行なって（Ｓ３２０）、送信中であれば送信表示を行う（Ｓ３３０）。送信表示は、モニタランプ６３をレッド点灯させるとともに、モニタスピーカ６５に送信音を出力させる。
【００３９】
次に、異常であるかを判断し（Ｓ３４０）、異常であれば異常表示を行う（Ｓ３５０）。異常は、メモリがフルの状態や蓄電池３５の電圧低下などの各種異常を検出する。表示は、モニタランプ６３をグリン、レッド交互点灯するとともに、モニタスピーカ６５に警報音を出力させる。
【００４０】
以上に説明したモニタ制御により、パーソナルコミュニケータ１の作動状態をモニタす
ることができる。
図８は、パーソナルコミュニケータ１の待機、及び充電状態の使用状態図である。これに示す状態で使用している場合に、モニタランプ６３とモニタスピーカ６５とによって、パーソナルコミュニケータ１の状況を一瞬で把握することができる。パーソナルコミュニケータ１は、足８７を下にして、図８に示すように台１１０上に立てての待機状態、及び外部電源装置１１１による充電電力の供給を受ける。ＧＰＳ利用者装置８は、外部電源装置１１１による充電電力の供給を受ける。
【００４１】
図９は、コミュニケータ制御処理ルーチンのフローチャート、図１０は、現況報告画面の説明図である。
コミュニケータ制御処理ルーチンは、オンスイッチ１７からオン信号が出力されたときＣＰＵ２３によって起動され、次にオフスイッチ１９からオフ信号が出力されるまで繰り返し実行される。まず、現況調査が行われ（Ｓ４００）、次いで現況報告画面表示が実行される（Ｓ４１０）。図１０がペン入力デバイス３の表示面３Ｃに表示される現況報告画面の一例である。現況報告画面には、現況報告表示１２１と、動作状態表示領域１２３と、メモリ残量表示１２５と、ＦＡＸデータ格納量表示１２７と、データ格納量表示１２９と、留守録格納量表示１３１と、ＦＡＸメニュー表示１３３と、データメニュー表示１３５と、電話メニュー表示１３７と、ナビゲーションメニュー表示１３８と、アプリケーションメニュー表示１３９と、設定メニュー表示１４１と、ＧＰＳ運用中表示１４３と、応答設定状態表示領域１４５と、自動応答設定状態表示領域１４７とが表示されている。動作状態表示領域１２３には、「受信待機中」、「ＦＡＸ受信中」、「データ受信中」、「ＦＡＸ送信中」、「呼出中」、「データ送信中」、「通話」、または「留守録中」の何れかが表示される。
【００４２】
メモリ残量表示１２５では、ＦＡＸ、データ、留守録の格納可能メモリ残量をパーセント表示する。
応答設定状態表示領域１４５には、応答表示１４５Ａと、電話表示１４５Ｂと、ＦＡＸ表示１４５Ｃと、データ表示１４５Ｄとが表示される。応答設定状態表示領域１４５の表示状態は、後述する処理で変更される。
【００４３】
自動応答設定状態表示領域１４７には、自動応答表示１４７Ａと、電話表示１４７Ｂと、ＦＡＸ表示１４７Ｃと、データ表示１４７Ｄとが表示される。自動応答設定状態表示領域１４７の表示状態は、後述する処理で変更される。
【００４４】
次いで判断を行う（Ｓ４２０）。判断では、入力ペン５５による項目の選択を待機する。
ここで、ＦＡＸメニュー表示１３３が選択された場合には、次にＦＡＸ処理を行う（Ｓ４３０）。各処理については、後述する。電話メニュー表示１３７が選択された場合には、電話処理を行う（Ｓ４４０）。データメニュー表示１３５が選択された場合には、データ処理を行う（Ｓ４５０）。ナビゲーションメニュー表示１３８が選択された場合には、ナビゲーション処理を行う（Ｓ４５５）。アプリケーションメニュー表示１３９が選択された場合には、アプリケーション処理を行う（Ｓ４６０）。設定メニュー表示１４１が選択された場合には、設定処理を行う（Ｓ４７０）。
【００４５】
図１１は、ＦＡＸ処理ルーチンのフローチャート、図１２は、文書入力画面の説明図である。
図１１のＦＡＸ処理ルーチンは、図９のＳ４３０の内容を示す。ＦＡＸ処理ルーチンが起動されると、まず文書入力画面が表示される（Ｓ５００）。文書入力画面は、図１２に一例を示すように、メニュー領域１５１と、文書入力領域１５３とを備えている。メニュー領域１５１には、ＦＡＸメニュー表示１５５と、ＦＡＸ送信表示１５７と、受信ＦＡＸ
表示表示１５９と、中止表示１６１とが表示されている。文書入力領域１５３は、始めは無地状態である。
【００４６】
文書入力画面の表示後、判断が行われる（Ｓ５１０）。判断では、文字入力が選択されたか、ＦＡＸメニュー表示１５５が選択されたか、ＦＡＸ送信表示１５７が選択されたか、受信ＦＡＸ表示表示１５９が選択されたか、あるいは中止表示１６１が選択されたかを見る。ここで、文字入力の選択とは、図１２に示すように、入力ペン５５によって、文書入力領域１５３を選択した場合である。
【００４７】
文字入力が選択された場合には、次に文書処理が行われる（Ｓ５２０）。文書処理は、ペン入力コンピュータの文書入力機能の主要部分を占めるものであって、まず入力ペン５５によって指示された点、例えば点１６２に、カーソル１６３を表示する。次いで、ペン入力領域枠１６５の表示を行う。ペン入力領域枠１６５の表示後、ペン入力を待機する。ここで、図１２に示すように、例えば平仮名入力があれば、それをなぞってペン入力領域枠１６５内に表示する。又、漢字入力があれば、該当する漢字を表示する。この後、入力ペン５５によって、変換表示１６７が選択されたら、辞書変換を行い、その変換後の文章をカーソル１６３の位置に表示する。また、再度、変換表示１６７が選択された場合には、第２候補の辞書変換を行う。入力文章は、次のペン入力があると確定される。また、削除表示１６９が選択されると、文書入力領域１５３内の文字やペン入力の軌跡を削除する処理が行われる。軌跡表示１７１が選択されると、文書入力領域１５３における入力ペン５５の軌跡がそのまま入力される。文書入力領域１５３に表示されている画像は、ＲＡＭ２７内のＦＡＸデータメモリ２７Ａに格納されている。
【００４８】
Ｓ５１０の判断において、ＦＡＸメニュー表示１５５が選択された場合には、次にＦＡＸメニュー処理を行い（Ｓ５３０）、ＦＡＸ送信表示１５７が選択された場合には、次にＦＡＸ送信処理を行い（Ｓ５４０）、受信ＦＡＸ表示表示１５９が選択された場合には、次に受信ＦＡＸ表示処理を行う（Ｓ５５０）。詳細は後述する。また、中止表示１６１が選択された場合には、本ルーチンをそのまま一旦終了する。
【００４９】
図１３は、ＦＡＸメニュー処理ルーチンのフローチャート、図１４は、ＦＡＸメニュー画面の説明図である。
ＦＡＸメニュー処理が起動されると、まずＦＡＸメニュー画面の表示が行われる（Ｓ６００）。ＦＡＸメニュー画面は、図１４に一例を示すように、メニュー領域１８１と、文書選択領域１８３とを備えている。メニュー領域１８１には、次ページ表示１８５と、ＦＡＸ送信表示１８７と、受信ＦＡＸ表示表示１８９と、中止表示１９１と、削除表示１９３とが表示されている。文書選択領域１８３には、文書選択表示１９４と、文書一覧１９５、地図選択表示１９６と、縮尺一覧１９８とが設けられており、文書一覧１９５には、文書名表示１９７が表示され、縮尺一覧１９８には、縮尺名表示１９９が表示されている。
【００５０】
ＦＡＸメニュー画面の表示後、判断が行われる（Ｓ６１０）。判断では、文書選択が行われたか、地図選択が行われたか、あるいは次ページ表示１８５が選択されたか、ＦＡＸ送信表示１８７が選択されたか、受信ＦＡＸ表示表示１８９が選択されたか、中止表示１９１が選択されたか、削除表示１９３が選択されたかを判断する。
【００５１】
Ｓ６１０の判断で、次ページ表示１８５が選択された場合には、ページ変更処理が実行される（Ｓ６２０）。ページ変更処理では、文書一覧１９５が次ページに変更される。
ここで、文書選択、つまり何れかの文書名表示１９７が選択された場合には、次に文書処理を行う（Ｓ６３０）。文書処理では、まず図１２に示した、文書入力画面を表示するとともに、選択された文書名表示１９７の文書ファイル２７Ｂに格納されている文書デー
タを文書入力領域１５３に表示する。文書ファイル２７Ｂは、ＲＡＭ２７内に設定されている。以後、この表示された文書データに対して、既述したＳ５２０とほぼ同様の文書処理が行われる。つまり、予め用意していた文章を編集して、用いることができる。
【００５２】
判断（Ｓ６１０）で、地図選択、つまり何れかの縮尺名表示１９９が選択された場合には、次に地図処理を行う（Ｓ６３５）。地図処理では、現在位置を中心にして、選択された縮尺の地図データを地図データＲＯＭ９６から読み込んで、文書入力領域１５３に表示する。例えば、「１  ３００Ｍ」表示１９９Ａが選択された場合には、現在位置を中心に、３００メートル四方の地図が表示される。現在位置のデータは、ＧＰＳ利用者装置８からの出力を利用する。以後、この表示された地図データに対して、既述した６３０と同様の文書処理が行われる。つまり、地図の画面に文章などのデータを重ねることができる。
【００５３】
判断で、ＦＡＸ送信表示１８７が選択された場合には、ＦＡＸ送信処理が実行され（Ｓ６４０）、受信ＦＡＸ表示表示１８９が選択された場合には、受信ＦＡＸ表示処理が実行され（Ｓ６５０）、削除表示１９３が選択された場合には、削除処理が実行される（Ｓ６６０）。また、中止表示１９１が選択された場合には、本ルーチンは、そのまま一旦終了される。
【００５４】
図１５は、ＦＡＸ送信処理ルーチンのフローチャート、図１６は、ＦＡＸ送信画面の説明図である。ＦＡＸ送信処理が起動されると、まずＦＡＸ送信画面の表示が行われる（Ｓ７００）。ＦＡＸ送信画面は、図１６に一例を示すように、メニュー領域２０１と、送信条件選択領域２０３とを備えている。メニュー領域２０１には、設定表示２０５と、中止表示２０７とが表示されている。送信条件選択領域２０３には、送信先選択表示２０９と、送信時間選択表示２１１と、送信先一覧２１３と、送信時間一覧２１５とが設けられており、送信先一覧２１３には、送信先名２１７が表示され、送信時間一覧２１５には、送信時間名２１９が表示されている。
【００５５】
ＦＡＸ送信画面の表示後、判断が行われる（Ｓ７１０）。判断では、送信先選択が行われたか、送信時間選択が行われたか、設定表示２０５の選択が行われたか、あるいは中止表示２０７の選択が行われたかを判断する。ここで送信先選択、すなわち、何れかの送信先名２１７が選択された場合には、次に送信番号設定処理を実行する（Ｓ７２０）。送信番号設定処理では、まず選択された送信先名２１７に設定されている電話番号を、ＲＡＭ２７内の送信番号メモリ２７Ｃにセットする処理を行う。セット後、判断処理に戻る。
【００５６】
判断処理で、送信時間選択、すなわち、何れかの送信時間名２１９が選択さている場合には、次に送信時間設定処理を実行する（Ｓ７３０）。送信時間設定処理では、まず選択された送信時間名２１９に設定されている送信時間をＲＡＭ２７内の送信時間メモリ２７Ｄにセットする処理を行う。
【００５７】
セット後、次に設定された送信時間が即時かを判断し（Ｓ７４０）、即時でなければ、そのまま本ルーチンを一旦終了する。送信時間が即時であれば、次にＦＡＸ送信を実行する（Ｓ７５０）。ＦＡＸ送信処理は、無線電話装置７によって、ＲＡＭ２７内のＦＡＸデータメモリ２７Ａに格納されているＦＡＸデータを、送信番号メモリ２７Ｃに設定されている送信先に、ファクシミリ送信する処理を行う。これにより、ペン入力デバイス３によって入力した、文章や画像を、その場で、所望の先方にファクシミリ送信することができる。また、現在位置を中心にして描いた地図データを所望の先方に送ることができる。なお、即時送信でない場合は、後述する。
【００５８】
Ｓ７１０の判断で、設定表示２０５が選択された場合には、次にＦＡＸ設定処理が実行される（Ｓ７６０）。ＦＡＸ設定処理では、用紙の大きさ、ファクシミリの規格、送信先
の追加、変更、送信時間の追加、変更を、図示しないＦＡＸ設定処理ルーチンによって、行う。つまり、予め設定しておくべき送信条件が設定される。
【００５９】
判断で、中止表示２０７が選択された場合には、本ルーチンをそのまま一旦終了する。
図１７は、受信ＦＡＸ表示処理ルーチンのフローチャート、図１８は、受信ＦＡＸ一覧画面の説明図である。受信ＦＡＸ表示処理が起動されると、まず受信ＦＡＸ一覧画面表示が行われる（Ｓ８００）。受信ＦＡＸ一覧画面は、図１８に一例を示すように、メニュー領域２２１と、受信ＦＡＸ選択領域２２３とを備えている。メニュー領域２２１には、データ出力表示２２５と、中止表示２２７とが示されている。受信ＦＡＸ選択領域２２３には、受信ＦＡＸ一覧表示２２９と、受信ＦＡＸ一覧２３１とが設けられており、受信ＦＡＸ一覧２３１には、受信ＦＡＸ名２３３が表示されている。
【００６０】
受信ＦＡＸ一覧画面の表示後、判断が行われる（Ｓ８１０）。判断では、選択が行われたか、データ出力表示２２５が選択されたか、あるいは中止表示２２７が選択されたかを判断する。
【００６１】
ここで何れかの受信ＦＡＸ名２３３が選択された場合には、次に受信ＦＡＸ表示処理を実行する（Ｓ８２０）。受信ＦＡＸ表示処理では、受信ＦＡＸ名２３３に対応する受信ＦＡＸデータメモリ２７Ｅの格納内容を、ペン入力デバイス３に画像表示する。
【００６２】
判断で、データ出力表示２２５が選択された場合には、データ出力処理を実行する（Ｓ８３０）。データ出力処理では、図示しないデータ出力画面を表示して、出力方法の選択を求め、選択された方法で受信ＦＡＸデータメモリ２７Ｅの格納内容を出力する。例えば、電話出力コネクタ６９を経由して、他のファクシミリ装置に出力したり、データ入出力コネクタ７３を経由して、他のコンピュータ装置に出力する。ファクシミリ装置に出力することにより、用紙への印刷が実行される。
【００６３】
判断で、中止表示２２７が選択された場合には、本ルーチンは、そのまま一旦終了する。
以上に説明した受信ＦＡＸ表示処理により、無線電話装置７を経由して受信し、受信ＦＡＸデータメモリ２７Ｅに格納されている受信ＦＡＸデータを、表示したり、外部に出力して印刷したりすることができる。
【００６４】
図１９は、削除処理ルーチンのフローチャートである。削除処理ルーチンが起動されると、まずＦＡＸ一覧画面の表示が行われる（Ｓ９００）。図示しないＦＡＸ一覧画面には、ＦＡＸデータメモリ２７Ａの格納内容と、受信ＦＡＸデータメモリ２７Ｅの格納内容とを示すデータ名が表示される。次いで、選択されたＦＡＸを削除する処理を行う（Ｓ９１０）。選択されたＦＡＸを削除する処理では、図示しないＦＡＸ一覧画面上で、入力ペン５５によって選択されたデータ名に対応する格納データを削除する処理を行う。
【００６５】
本削除処理により、送信用、又は受信したＦＡＸデータで、不要になったものを削除することができる。
以上に説明した図９のコミュニケータ制御のＦＡＸ処理（Ｓ４３０）により、ＦＡＸの送信データの作成、送信、表示を入力ペン５５の操作だけで行うことができる。
【００６６】
図２０は、電話処理ルーチンのフローチャート、図２１、図２２、図２３は、電話メニュー画面の説明図、図２４は、メッセージ選択画面の説明図、図２５は、設定処理ルーチンのフローチャート、図２６は、留守録表示処理ルーチンのフローチャートである。
【００６７】
電話処理が起動されると、まず電話メニュー画面の表示が行われる（Ｓ１０００）。電
話メニュー画面は、図２１に一例を示すように、メニュー領域２４１と、発信選択領域２４３とを備えている。メニュー領域２４１には、設定表示２４５と、留守録表示表示２４７と、中止表示２４９とが表示されている。発信選択領域２４３には、発信先選択（次ページ）表示２５１と、発信先一覧２５３と、発信条件表示２５４と、発信条件一覧２５５とが設けられており、発信先一覧２５３には、発信先名２５７が表示されており、発信条件一覧２５５には、発信条件名２５９が表示されている。
【００６８】
ここで、発信先選択（次ページ）表示２５１の次ページ表示２５１Ａを選択すると、図２２に示す電話メニュー画面に変更される。この電話メニュー画面には、発信先選択表示２６４と、最寄発信表示２６５と、発信先一覧２６６と、緊急発信表示２６７と、緊急発信先一覧２６８とが設けられている。
【００６９】
電話メニュー画面の表示後、次に判断を行う（Ｓ１０１０）。判断では、何れかの発信先名２５７が選択されたか、設定表示２４５が選択されたか、留守録表示表示２４７が選択されたか、中止表示２４９が選択されたか、何れかの最寄り発信先が選択されたか、何れかの緊急発信先が選択されたかを判断する。
【００７０】
ここで、何れかの発信先名が選択された場合には、次の判断を行う（Ｓ１０２０）。この判断では、発信条件名２５９の中から、即時表示２６１が選択されたか、メッセージ送信表示２６３が選択されたか、あるいは設定表示２４５、留守録表示表示２４７、中止表示２４９が選択されたかを判断する。ここで、即時表示２６１が選択された場合には、電話発信が行われる（Ｓ１０３０）。電話発信では、Ｓ１０１０で選択された発信先に電話を発信する。これにより、先方との通話が可能になる。
【００７１】
Ｓ１０１０の判断で、最寄発信が選択された場合には、最寄発信処理が行われる（Ｓ１０３１）。最寄発信処理とは、発信先一覧２６６の中から、何れかの発信先が選択された場合に実行される処理のことである。この処理では、まず、現在位置の座標ＮＥを入力し、次いで最寄りの発信先の名称を入力する。例えば、名称としては、「１  ＪＡＦ」表示２６６Ａを入力する。
【００７２】
次いで、この現在位置から最も近い選択項目の名称の電話番号を地図データＲＯＭ９６から入力する。
地図データＲＯＭ９６から読み込んだ電話番号が複数の場合、例えば「○○警察署の受付○○番、交通課○○番、防犯課○○番など」の場合には、図２２に示す電話メニュー画面に選択枠２６６Ｂが表示される。選択枠２６６Ｂには、選択一覧２６６Ｃと、次ページ表示２６６Ｄと、削除表示２６６Ｅと、実行表示２６６Ｆとが設けられている。選択一覧２６６Ｃには、「１  受付○○番」などのように表示される。
【００７３】
Ｓ１０１０の判断で、緊急発信が選択された場合には、緊急発信処理が行われる（Ｓ１０３２）。緊急発信処理とは、緊急発信先一覧２６８の中から、何れかの緊急発信先が選択された場合に実行される処理のことである。この処理では、まず、現在位置の座標ＮＥを入力し、次いで最寄りの緊急発信先の名称を入力する。次に、緊急発信先の電話番号を地図データＲＯＭ９６から入力する。
【００７４】
最寄発信処理（Ｓ１０３１）、又は緊急発信処理（Ｓ１０３２）の処理後、電話発信処理を実行する（Ｓ１０３０）。この電話発信処理では、速やかに設定された電話番号の発信を行う。これにより、最寄りの発信先、又は緊急発信先に電話が接続される。
【００７５】
電話発信処理が行われると、次に通話中処理が行われる（Ｓ１０３３）。通話中処理では、まず図２３に示す通話中画面２６９を表示する。通話中画面２６９には、通話先名称
表示２６９Ａと、通話先機器表示２６９Ｂと、ＧＰＳ割込処理一覧２６９Ｃと、通話終了表示２６９Ｄとが設けられている。
【００７６】
通話先名称表示２６９Ａは、現在電話が接続されている先方の名称を表示するものである。これを表示するためのデータは、発信先名２５７を表示するために用いられたデータや地図データＲＯＭ９６から読み込まれたデータである。通話先機器表示２６９Ｂは、現在電話中の先方の機器がコミュニケータの○形であると表示するものであって、所定の規則に則って、先方との間でデータ交換されることにより、表示される。ＧＰＳ割込処理一覧２６９Ｃは、地理案内アナウンス表示２６９Ｅと、付近図ＦＡＸ表示２６９Ｆと、付近図データ送信表示２６９Ｇとを備えている。
【００７７】
通話中処理の後、次に判断を行う（Ｓ１０３４）。判断では、通話中画面の選択内容を判断する。ここで、通話終了表示２６９Ｄが選択された場合には、本ルーチンをそのまま一旦終了する。一方、何れかの項目の選択が行われるまでは、入力を待機する。
【００７８】
判断で、地理アナウンス表示２６９Ｅが選択されれば、次に地理アナウンス処理が行われ（Ｓ１０３５）、付近図ＦＡＸ表示２６９Ｆが選択されれば、付近図ＦＡＸ処理が行われ（Ｓ１０３６）、付近図データ送信表示２６９Ｇが選択されれば、付近図データ送信処理が行われる（Ｓ１０３７）。これらの何れかの処理の実行後、通話中処理に戻って、次の項目の選択を待機する。
【００７９】
地理アナウンス処理は（Ｓ１０３５）、現在位置の地理をアナウンスするものである。この処理では、まず、現在位置の座標ＮＥを、入力する。次いで、現在位置の地図データを地図データＲＯＭ９６から読み込む。次に、現在位置の地理的特徴を抽出する。ここでは、1)地名のデータ、2)公的施設からの距離と方向、3)国道、県道などの案内標識の位置と、案内標識からの距離、方向を読み込む。
【００８０】
次に、1)〜3)のデータを順次音声発生ユニット４３によって音声に変換して、電話通話回線にミキシングする。これにより、通話中の電話に現在位置のアナウンスが行われる。
付近図ＦＡＸ処理は（Ｓ１０３６）、現在位置の付近図をＦＡＸするものである。この処理では、まず現在位置の座標ＮＥを入力する。次いで、現在位置の道路、地図データを地図データＲＯＭ９６から読み込んで、付近図画像データを作成し、通話中の電話にＦＡＸ信号をミキシングする。これにより、先方に付近図がＦＡＸされる。
【００８１】
付近図データ送信処理は（Ｓ１０３７）、現在位置の付近図をデータ送信するものである。この処理では、まず現在位置の座標ＮＥを、入力する。次いで、現在位置の道路、地図データを地図データＲＯＭ９６から読み込んで、付近図画像データと、座標データとを作成し、通話中の電話に所定のプロトコルでデータ信号をミキシングする。これにより、先方に付近図のデータが送信される。
【００８２】
Ｓ１０２０の判断において、メッセージ送信表示２６３が選択された場合には、次にメッセージ選択画面を表示する（Ｓ１０４０）。メッセージ選択画面は、図２４に一例を示すように、メニュー領域２７１と、メッセージ選択領域２７３とが表示されている。メニュー領域２７１には、電話発信表示２７５と、中止表示２７７とが表示されている。メッセージ選択領域２７３には、メッセージ選択表示２７９と、メッセージ一覧２８１とが設けられており、メッセージ一覧２８１には、メッセージ名２８３が表示されている。
【００８３】
メッセージ選択画面の表示後、次に判断を行う（Ｓ１０５０）。判断では、中止表示２７７が選択されたか、あるいは何れかのメッセージ名２８３が選択されたかを判断する。ここで、中止表示２７７が選択された場合には、本ルーチンを一旦終了し、何れかのメッ
セージ名２８３が選択された場合には、次に選択されたメッセージ名２８３に対応する内容を表示する。ここでの表示画面の図示は省略する。表示される内容は、ＲＡＭ２７内のメッセージデータメモリ２７Ｆに格納されている。メッセージデータメモリ２７Ｆの内容は、図示しないメッセージ内容追加、変更ルーチンによって、入力ペン５５を用いて、予め格納される。
【００８４】
内容の表示後、判断が行われる（Ｓ１０７０）。判断で、図示しない電話発信表示が選択された場合には、電話発信を行う（Ｓ１０３０）。ここでの電話発信では、先方への接続後、選択されたメッセージが音声で、自動的に出力される。ここで、先方から応答があった場合には、その音声データが受信電話録音メモリ２７Ｇに、格納される。この内容は、図示しない受信電話録音再生処理により、再生される。
【００８５】
判断で、図示しない中止表示が選択された場合には、そのまま本ルーチンを一旦終了する。これにより、メッセージ送信は、中止される。
電話メニュー画面の表示状態において、設定表示２４５が選択された場合には、次に設定処理が行われる（Ｓ１０８０）。設定処理は、図２５に示すように、まず設定画面が表示される（Ｓ１１００）。設定画面は、図示は省略するが、留守録実行表示と、留守録キャンセル表示と、中止表示と、音声モード表示と、音声文字変換モード表示とを備えている。この設定画面の表示後、判断が行われる。
【００８６】
判断で、留守録実行表示が選択された場合には、次に留守録処理が行われる（Ｓ１１２０）。留守録処理では、無線電話装置７を経由して受信した電話の留守録を実行するセットを行う。以後、受信した電話に対して、自動的に応答し、受信内容を留守録メモリ２７Ｈに格納する処理が自動的に行われる。
【００８７】
一方、判断で、留守録キャンセル表示が選択された場合には、留守録キャンセル処理が行われる（Ｓ１１３０）。この処理により、受信した電話を留守録する処理が停止される。また、判断で、中止表示が選択された場合には、そのまま本ルーチンを一旦終了する。
【００８８】
判断で、音声モード表示が選択された場合には、文字変換キャンセル処理が実行される（Ｓ１１４０）。文字変換キャンセル処理では、次に説明する文字変換作動をキャンセルする。
【００８９】
判断で、音声文字変換モード表示が選択された場合には、文字変換作動処理を行う（Ｓ１１５０）。文字変換作動処理では、ＲＡＭ２７内の受信電話録音メモリ２７Ｇに格納された留守録音声を、音声解析プロセッサ２４により、文字データに変換して、受信電話文字メモリ２７Ｉに格納する処理を行う。また、留守録以外の場合には、無線電話装置７を経由して受信した音声信号を、リアルタイムで、文字データに変換して、ペン入力デバイス３に文字表示する処理を行う。これにより、受信した電話通話を、音声で聞くことに加えて、あるいは音声で聴くことに替えて、文字データで確認することができる。
【００９０】
以上の、設定処理により、留守録を行うか否かを簡単に設定することができる。また、電話通話を文字データに変換して、認識することから、音を発することができない場面の電話通話に便利であり、あるいは聾唖者用の電話装置として活用できる。
【００９１】
電話メニュー画面の表示状態において、留守録表示表示２４７が選択された場合には、次に留守録表示処理が行われる（Ｓ１０９０）。
留守録表示処理は、図２６に示すように、まず留守録一覧画面が表示される（Ｓ１２００）。留守録一覧画面は、図示は省略するが、留守録一覧と、留守文字一覧と、削除表示と、中止表示とを備えている。この判断で、留守録一覧、又は留守文字一覧の中から、何
れかの留守録、又は留守文字が選択された場合には、次にそれを再生する（Ｓ１２２０）。再生は、留守録の場合では、ＲＡＭ２７内の受信電話録音メモリ２７Ｇの中から留守録データを呼び出して、イヤー通話器４９、又はスピーカ５１によって、行なう。また、留守文字の場合では、ＲＡＭ２７内の受信電話文字メモリ２７Ｉの中から留守文字データを呼び出して、ペン入力デバイス３により、行なう。
【００９２】
判断で、削除であるとされた場合には、次に削除処理を行う（Ｓ１２３０）。削除処理は、留守録一覧の中、又は留守文字一覧の中から入力ペン５５によって、選択された留守録音を受信電話録音メモリ２７Ｇの中から削除する処理、又は受信電話文字メモリ２７Ｉの中から削除する処理を行う。
【００９３】
判断で、中止が選択された場合には、そのまま本ルーチンを一旦終了する。
以上に説明した留守録表示処理により、留守録した音声データを再生することと、文字データの型式で留守録したデータを表示することができる。
【００９４】
図２７は、データ処理ルーチンのフローチャート、図２８は、データ入力画面の説明図、図２９は、伝送条件設定処理ルーチンのフローチャート、図３０は、データ送信処理ルーチンのフローチャートである。
【００９５】
図２７のデータ処理が起動されると、まずデータ入力画面の表示が行われる（Ｓ１３００）。データ入力画面は、図２８に示すように、メニュー領域２９１と、データ入力領域２９３とを備えている。メニュー領域２９１には、伝送条件設定表示２９５と、データ送信表示２９７と、受信データ表示表示２９９と、付近図表示３００と、中止表示３０１とが設けられている。データ入力領域２９３は、始めは無地状態である。
【００９６】
データ入力画面の表示後、判断が行われる（Ｓ１３１０）。判断では、データ入力が選択されたか、伝送条件設定表示２９５が選択されたか、データ送信表示２９７が選択されたか、受信データ表示表示２９９が選択されたか、付近図表示３００が選択されたか、中止表示３０１が選択されたかを見る。ここで、データ入力の選択とは、入力ペン５５によって、データ入力領域２９３を選択した場合である。
【００９７】
データ入力が選択された場合には、次にデータ入力処理が行われる（Ｓ１３２０）。データ入力処理では、まず入力ペン５５によって指示された点、例えば図２８に示すように点３０３に、カーソル３０５を表示するとともに、ペン入力領域枠３０７を表示する。次いで、入力されたデータを送信データデータメモリ２７Ｊに格納する処理を行う。
【００９８】
判断で、付近図表示３００が選択された場合には、データ入力領域２９３に付近図を入れ込む地図処理を行う（Ｓ１３１５）。この処理では、まず現在位置の座標ＮＥを入力し、次いで、現在位置の周辺の地図、道路データを地図データＲＯＭから入力して、例えば図２８に示すように、データ入力領域２９３に書き込む処理を行う。
【００９９】
判断で、伝送条件設定表示２９５が選択された場合には、次に伝送条件設定処理を行う（Ｓ１３３０）。詳細は後述する。また、判断で、データ送信表示２９７が選択された場合には、次にデータ送信処理を実行し（Ｓ１３４０）、受信データ表示表示２９９が選択された場合には、受信データ表示処理を実行し（Ｓ１３５０）、中止表示３０１が選択された場合には、本ルーチンをそのまま一旦終了する。
【０１００】
Ｓ１３３０の伝送条件設定処理では、図２９に示すように、まず伝送条件設定画面表示を行う（Ｓ１４００）。伝送条件設定画面は、図示を省略するが、選択表示と、中止表示と、終了表示とを備えている。
【０１０１】
ここで、選択表示が選択された場合には、次に伝送条件変更処理が行われる（Ｓ１４２０）。伝送条件変更処理では、まず図示しない伝送条件変更画面を表示する。この伝送条件変更画面には、終了表示と、中止表示と、およびＢＰＳ表示、キャラクタ長表示、パリティチェック表示、ストップビット数表示、Ｘパラメータ表示などのデータ伝送を行う場合の伝送条件選択表示とが表示されている。次いで、画面上で選択された情報を入力する処理を行う。
【０１０２】
この伝送条件変更画面、又は伝送条件設定画面の状態で、終了表示が選択されると、伝送条件変更処理の内容が確定される。また、中止表示が選択されると、伝送条件変更処理の変更が中止される。つまり、従前の内容は、変更されることはない。
【０１０３】
本伝送条件設定処理により、コンピュータ間のデータ伝送のプロトコルを設定することができる。
図２７のＳ１３１０でデータ送信表示２９７が選択された場合には、図３０のデータ送信処理に示すように、まずデータ送信画面表示が行われる（Ｓ１５００）。データ送信画面は、図示を省略するが、送信先選択表示と、送信時間選択表示と、設定表示と、中止表示とを備えている。表示後判断が行われる（Ｓ１５１０）。
【０１０４】
ここで、送信先選択表示が選択されたと判断した場合には、次に送信番号設定処理が実行される（Ｓ１５２０）。
送信番号設定処理では、まず図示しない送信番号選択画面が表示される。送信番号選択画面には、送信番号一覧と、新規番号追加表示とが設けられている。送信番号一覧には、送信番号表示が複数設けられている。新規番号追加表示は、これが選択されると、ペン入力領域枠が表示され、新規の送信先番号が入力される。ここで、所望の送信番号の選択を待って、選択があったらこの番号をデータ送信番号メモリ２７Ｋに設定する。
【０１０５】
判断で、送信時間選択表示が選択された場合には、つぎに送信時間設定処理を行う（Ｓ１５３０）。送信時間設定処理では、まず図示しない送信時間選択画面が表示される。送信時間選択画面には、送信時間入力表示と、即時表示とが設けられている。送信時間入力表示が選択されると、ペン入力領域枠が表示され、ペン入力による日時データがデータ送信時間メモリ２７Ｌに格納される。また、即時表示が選択されると、即時データが格納される。
【０１０６】
日時のデータが格納されて後、次に即時かの判断が行われる（Ｓ１５４０）。即時でないと判断されれば、本ルーチンをそのまま一旦終了する。一方、即時であると判断された場合には、次にデータ送信処理を実行する（Ｓ１５５０）。
【０１０７】
データ送信処理では、送信データメモリ２７Ｍに格納されている内容を即刻送信する。送信は、Ｓ１３３０で設定された伝送条件で、Ｓ１５２０で設定された送信番号に送られる。
【０１０８】
Ｓ１５１０の判断で、中止表示が選択された場合は、本ルーチンをそのまま一旦終了する。
設定表示が選択された場合には、次にデータ設定処理を実行する（Ｓ１５６０）。データ設定処理では、まず図示しないデータ設定画面が表示される。このデータ設定画面には、データ入力対象表示、入力型式選択表示が設けられている。データ入力対象表示には、たとえばデータ入出力コネクタ７３、カードコネクタ７５、カードコネクタ７７が表示されている。入力型式選択表示には、テキスト、バイナリ、ＭＭＲデータ、ＲＳ２３２Ｃ等が表示される。
【０１０９】
本データ送信処理によりデータを入力して送信するための設定が行われる。
図２７のＳ１３１０の判断で、受信データ表示表示２９９が選択された場合には、受信データ表示処理が実行される（Ｓ１３５０）。受信データ表示処理では、図示しない受信データ表示一覧画面を表示して、選択を求め、選択された受信データを、画像表示する。また、外部出力の選択があった場合には、選択されたポートから出力する。
【０１１０】
判断（Ｓ１３１０）で、中止表示３０１が選択された場合には、本ルーチンをそのまま一旦終了する。
以上に説明したデータ処理により、先方のコンピュータに直接データを送信したり、先方から送られてきたデータを表示したりすることができる。また、先方のコンピュータに付近の地図データを送ることができる。
【０１１１】
図３１は、ナビゲーション処理のフローチャートである。
図９のＳ４２０の判断で、ナビゲーションメニュー表示１３８が選択された場合に、このナビゲーション処理が起動される。
【０１１２】
まず、ナビゲーションメニュー画面の表示が行われる（Ｓ１５７０）。次いで、このメニュー画面の選択を判断し（Ｓ１５８０）、選択された処理を実行する（Ｓ１５９０）。
ナビゲーション処理では、ＧＰＳ利用者装置８の出力と、地図データＲＯＭ９６のデータとを用いたナビゲーションが行われる。
【０１１３】
図３２は、アプリケーション処理ルーチンのフローチャートである。
図９のＳ４２０の判断で、アプリケーションメニュー表示１３９が選択された場合には、次にアプリケーション処理が実行される（Ｓ４６０）。アプリケーション処理では、図３２に示すように、まずアプリケーション選択画面が表示される（Ｓ１６００）。
【０１１４】
アプリケーション選択画面の表示後、次に判断を行う（Ｓ１６１０）。判断では、アプリケーション選択画面の何れが選択されたかを判断する。ここで、中止が選択された場合には、本ルーチンをそのまま一旦終了する。また、アプリケーションが選択された場合には、次にアプリケーション実行を行う（Ｓ１６２０）。アプリケーション実行では、選択されたアプリケーションルーチンに処理を移行する。アプリケーションの例は、省略する。
【０１１５】
図３３は、設定処理ルーチンのフローチャート、図３４は、設定対象選択画面の説明図である。
図９のＳ４２０で設定メニュー表示１４１が選択された場合には、次に図３３の設定処理が実行される。まず、設定対象選択画面が表示される（Ｓ２０００）。設定対象選択画面には、図３４に示すように、設定対象選択表示４１１と、設定対象一覧４１３と、中止表示４１７とが設けられている。設定対象一覧４１３には、設定対象名表示４１５が表示されている。
【０１１６】
設定対象選択画面の表示後、次に判断を行う（Ｓ２０１０）。判断で、中止表示４１７が選択された場合には、本ルーチンをそのまま一旦終了する。一方、設定対象一覧４１３の何れかが選択された場合には、次の設定処理を実行する。
【０１１７】
ＧＰＳ関連表示４２０が選択された場合には、ＧＰＳ関連設定処理が実行される（Ｓ２０１５）。
ＦＡＸ送信表示４２１が選択された場合には、ＦＡＸ送信設定処理が実行される（Ｓ２０２０）。ＦＡＸ受信表示４２３が選択された場合には、ＦＡＸ受信設定処理（Ｓ２０３
０）、データ送信表示４２５が選択された場合には、データ送信設定処理（Ｓ２０４０）、データ受信表示４２７が選択された場合には、データ受信設定処理（Ｓ２０４５）、電話発信表示４２９が選択された場合には、電話発信設定処理（Ｓ２０５０）、電話受信表示４３１が選択された場合には、電話受信設定処理（Ｓ２０６０）が実行される。
【０１１８】
Ｓ２０２０〜Ｓ２０６０の各設定処理では、所定の手順に従って、所定の内容の設定が行われる。
以上に説明したコミュニケータ制御により、使用者のデータの入出力や設定が行われる。
【０１１９】
図３５は、ＧＰＳ関連設定処理ルーチンのフローチャート、図３６は、ＧＰＳ設定画面の説明図である。ＧＰＳ関連設定処理が起動されると、まずＧＰＳ設定画面が表示される（Ｓ２０７０）。ＧＰＳ設定画面４４１は、図３６に示すように、ＧＰＳ関連設定表示４４３と、中止表示４４５と、終了表示４４７と、ＧＰＳ使用表示４４９と、不使用表示４５１と、自動応答表示４５３と、選択なし表示４５５と、電話表示４５７と、ＦＡＸ表示４５９と、データ表示４６１と、応答表示４６３と、選択なし表示４６５と、電話表示４６７と、ＦＡＸ表示４６９と、データ表示４７１とを備えている。
【０１２０】
ＧＰＳ設定画面の表示後、入力の判断を行って（Ｓ２０７５）、選択された項目の設定処理を実行する（Ｓ２０７７）。
設定処理としては、次に示すものがある。
【０１２１】
1)  ＧＰＳ使用表示４４９が選択された場合。この場合には、ＧＰＳ利用者装置８の使用がパーソナルコミュニケータ１に登録される。これにより、データ入出力コントローラ７１から現在位置データＮＥＨが所定時間毎に入力され、現在位置メモリ２７Ｎに格納される。この現在位置メモリ２７Ｎに格納されたデータは、現在位置の座標データＮＥとして所定のルーチンによって読み出され、活用される。不使用表示４５１が選択された場合は、現在位置データＮＥＨの読込処理は、キャンセルされる。
【０１２２】
2)  自動応答表示４５３の隣の電話表示４５７、ＦＡＸ表示４５９、データ表示４６１が選択された場合。これは、ＧＰＳ使用表示４４９が選択された場合のみ有効になる。ここでの自動応答とは、パーソナルコミュニケータ１が受信待機中において、他のパーソナルコミュニケータ１による現在位置の送信要求を受けるか否かを設定する処理のことである。
【０１２３】
電話表示４５７が選択された場合は、他のパーソナルコミュニケータ１から音声アナウンスによる現在位置の送信要求を受理する。これが設定されると、他のパーソナルコミュニケータ１からの現在位置の送信要求が送信されてくると、これに応答して現在位置の場所を返答する。
【０１２４】
ＦＡＸ表示４５９が選択された場合は、現在位置の画像をＦＡＸ返送する。
データ表示４６１が選択された場合は、現在位置のデータをデータ返送する。  選択なし表示４５５が選択された場合は、他のパーソナルコミュニケータ１からの送信要求には応答しなくなる。
【０１２５】
3)応答表示４６３のとなりの電話表示４６７、ＦＡＸ表示４６９、データ表示４７１が選択された場合。これは、ＧＰＳ使用表示４４９が選択された場合のみ有効になる。ここでの応答とは、パーソナルコミュニケータ１が通信中において、先方から現在位置の送信要求を受けるか否かを設定する処理のことである。
【０１２６】
電話表示４６７が選択された場合は、先方からの現在位置の送信要求を受理する。これが設定されると、例えば他のパーソナルコミュニケータ１からの現在位置の送信要求が送信されてくると、これに応答して現在位置の場所を返答する。  ＦＡＸ表示４６９が選択された場合は、現在位置の画像をＦＡＸ返送する。
【０１２７】
データ表示４７１が選択された場合は、現在位置のデータをデータ返送する。  選択なし表示４６５が選択された場合は、他のパーソナルコミュニケータ１からの送信要求には応答しなくなる。
【０１２８】
終了表示４４７が選択されると、設定データ格納処理（Ｓ２０７９）が実行され、本ルーチンは入ったん終了される。ここでのデータは、ＥＥＰＲＯＭ２９のＧＰＳ設定エリア２９Ｃに格納される。
【０１２９】
図３７は、ＧＰＳ自動応答処理ルーチンのフローチャート、図３８はＧＰＳ電話アナウンス応答処理ルーチンのフローチャート、図３９は、ＧＰＳＦＡＸ応答処理ルーチンのフローチャート、図４０は、ＧＰＳ応答処理ルーチンのフローチャートである。図３７のＧＰＳ自動応答処理と、図４０のＧＰＳ応答処理とは、ＣＰＵ２３によって、所定時間毎に起動される。
【０１３０】
図３７のＧＰＳ自動応答処理が起動されると、まずＧＰＳ自動応答呼び出し有りかを判断する（Ｓ２０８０）。ＧＰＳ自動応答呼び出しは、図示しない受信処理から出力されたＧＰＳ自動応答呼び出しフラグに基づいて判断される。図示しない受信処理は、先方からの送信データにＧＰＳ自動応答呼び出しが含まれていれば、ＧＰＳ自動応答呼び出しフラグを設定する。
【０１３１】
ここで、ＧＰＳ自動応答呼び出しがなければ、本ルーチンをそのまま一旦終了する。一方、呼び出しが有れば、次にその呼び出し内容がアナウンスであるか、ＦＡＸであるか、データであるかを判断する（Ｓ２０８１）。呼び出し内容は、ＧＰＳ自動応答呼び出しフラグから判断する。
【０１３２】
呼び出し内容がアナウンスで有れば、次にＧＰＳ電話アナウンス応答を行う（Ｓ２０８２）。一方、ＦＡＸで有れば、ＧＰＳＦＡＸ応答を行い（Ｓ２０８３）、データで有れば、ＧＰＳデータ応答を行う（Ｓ２０８４）。
【０１３３】
図３８に示すＧＰＳ電話アナウンス応答処理では、まず現在位置座標の入力を行う（Ｓ２０８６）。次いで、地図データＲＯＭのデータ入力を行い（Ｓ２０８７）、付近の特徴を抽出する（Ｓ２０８８）。次に、現在位置のアナウンスを出力する（Ｓ２０８９）。本処理により、他のパーソナルコミュニケータ１からの呼び出しに答えて、現在位置を音声で返答する。
【０１３４】
図３９のＧＰＳＦＡＸ応答処理が起動されると、まず現在位置座標の入力が行われ（Ｓ２０９０）、次いで、地図データＲＯＭのデータ入力が行われる（Ｓ２０９１）。次に、ＦＡＸ画像データの作成が行われて（Ｓ２０９２）、現在位置の地図をＦＡＸ送信する（Ｓ２０９３）。
【０１３５】
図３７のＧＰＳデータ応答処理では（Ｓ２０８４）、詳細な図示は省略するが、付近の地図データのデータ送信を実行する。
図４０のＧＰＳ応答処理が起動されると、まずＧＰＳ応答呼び出し有りかを判断する（Ｓ２０９４）。ＧＰＳ応答呼び出しは、図示しない受信処理から出力される。図示しない受信処理は、先方からの送信データにＧＰＳ応答呼び出しが含まれていれば、ＧＰＳ応答
呼び出しフラグを設定する。
【０１３６】
ここで、ＧＰＳ応答呼び出しがなければ、本ルーチンをそのまま一旦終了する。一方、呼び出しが有れば、次にその呼び出し内容がアナウンスであるか、ＦＡＸであるか、データであるかを判断する（Ｓ２０９５）。呼び出し内容は、ＧＰＳ応答呼び出しフラグから判断する。
【０１３７】
呼び出し内容がアナウンスで有れば、次にＧＰＳ電話アナウンス応答を行う（Ｓ２０９６）。一方、ＦＡＸで有れば、ＧＰＳＦＡＸ応答を行い（Ｓ２０９７）、データで有れば、ＧＰＳデータ応答を行う（Ｓ２０９８）。
【０１３８】
図４１は、ＦＡＸ送信時間モニタ処理ルーチンのフローチャート、図４２は、データ送信時間モニタ処理ルーチンのフローチャートである。これは、ＣＰＵ２３によって所定時間毎に起動される。図４１のＦＡＸ送信時間モニタ処理が起動されると、まず送信待があるか否かを判断する（Ｓ２１００）。送信待は、ＦＡＸデータメモリ２７Ａ内に、ＦＡＸデータが格納されているか否かで判断する。ここで、送信待でないと判断した場合には、本ルーチンをそのまま一旦終了する。一方、送信待があれば、次に送信時間か否かを判断する（Ｓ２１１０）。送信時間は、送信時間メモリ２７Ｄに設定されている送信時間を現在時刻と対比することにより行う。
【０１３９】
ここで、送信時間でなければ、本ルーチンをそのまま一旦終了する。送信時間であれば、次にＦＡＸ送信を行う（Ｓ２１２０）。
以上に説明したＦＡＸ送信時間モニタ処理により、ＦＡＸの予約送信が行われる。
【０１４０】
図４２のデータ送信時間モニタが起動されると、まず送信待ちがあるかが判断される（Ｓ２２００）。送信待は、送信データメモリ２７Ｍ内に、データが格納されているか否かで判断する。ここで、送信待でないと判断した場合には、本ルーチンをそのまま一旦終了する。一方、送信待があれば、次に送信時間か否かを判断する（Ｓ２２１０）。送信時間は、データ送信時間メモリ２７Ｌに設定されている送信時間を現在時刻と対比することにより行う。
【０１４１】
ここで、送信時間でなければ、本ルーチンをそのまま一旦終了する。送信時間であれば、次にデータ送信を行う（Ｓ２２２０）。
以上に説明したデータ送信時間モニタ処理により、データの予約送信が行われる。
【０１４２】
以上に説明したパーソナルコミュニケータ１は、電話通話、ＦＡＸ通信、データ通信、各種アプリケーション処理などを、キーボード操作を行うことなく行なうことができるとともに、これらの全てを一式携帯することができる。
【０１４３】
しかも、現在位置の情報を先方に音声、ＦＡＸ、データ通信で送信することができる。
この結果、利便性が高い情報交換装置が得られるという極めて優れ効果を奏する。
【図面の簡単な説明】
【０１４４】
【図１】パーソナルコミュニケータ１の斜視図である。
【図２】パーソナルコミュニケータ１の斜視図である。
【図３】パーソナルコミュニケータ１のブロック図である。
【図４】ディスプレイ１５の表示状態の説明図である。
【図５】ディスプレイ制御の説明図である。
【図６】ディスプレイ制御処理ルーチンのフローチャートである。
【図７】モニタ制御処理ルーチンのフローチャートである。
【図８】パーソナルコミュニケータ１の待機、及び充電状態の使用状態図である。
【図９】コミュニケータ制御処理ルーチンのフローチャートである。
【図１０】現況報告画面の説明図である。
【図１１】ＦＡＸ処理ルーチンのフローチャートである。
【図１２】文書入力画面の説明図である。
【図１３】ＦＡＸメニュー処理ルーチンのフローチャートである。
【図１４】ＦＡＸメニュー画面の説明図である。
【図１５】ＦＡＸ送信処理ルーチンのフローチャートである。
【図１６】ＦＡＸ送信画面の説明図である。
【図１７】受信ＦＡＸ表示処理ルーチンのフローチャートである。
【図１８】受信ＦＡＸ一覧画面の説明図である。
【図１９】削除処理ルーチンのフローチャートである。
【図２０】電話処理ルーチンのフローチャートである。
【図２１】電話メニュー画面の説明図である。
【図２２】電話メニュー画面の説明図である。
【図２３】電話メニュー画面の説明図である。
【図２４】メッセージ選択画面の説明図である。
【図２５】設定処理ルーチンのフローチャートである。
【図２６】留守録表示処理ルーチンのフローチャートである。
【図２７】データ処理ルーチンのフローチャートである。
【図２８】データ入力画面の説明図である。
【図２９】伝送条件設定処理ルーチンのフローチャートである。
【図３０】データ送信処理ルーチンのフローチャートである。
【図３１】ナビゲーション処理ルーチンのフローチャートである。
【図３２】アプリケーション処理ルーチンのフローチャートである。
【図３３】設定処理ルーチンのフローチャートである。
【図３４】設定対象選択画面の説明図である。
【図３５】ＧＰＳ関連設定処理ルーチンのフローチャートである。
【図３６】ＧＰＳ設定画面の説明図である。
【図３７】ＧＰＳ自動応答処理ルーチンのフローチャートである。
【図３８】ＧＰＳ電話アナウンス応答処理ルーチンのフローチャートである。
【図３９】ＧＰＳＦＡＸ応答処理ルーチンのフローチャートである。
【図４０】ＧＰＳ応答処理ルーチンのフローチャートである。
【図４１】ＦＡＸ送信時間モニタ処理ルーチンのフローチャートである。
【図４２】データ送信時間モニタ処理ルーチンのフローチャートである。
【符号の説明】
【０１４５】
１…パーソナルコミュニケータ
３…ペン入力デバイス
５…本体
７…無線電話装置
８…ＧＰＳ利用者装置
２７Ｎ…現在位置メモリ
７１…データ入出力コントローラ
９６…地図データＲＯＭ
【図１】
2006230015.tif 000003
【図２】
2006230015.tif 000004
【図３】
2006230015.tif 000005
【図４】
2006230015.tif 000006
【図５】
2006230015.tif 000007
【図６】
2006230015.tif 000008
【図７】
2006230015.tif 000009
【図８】
2006230015.tif 000010
【図９】
2006230015.tif 000011
【図１０】
2006230015.tif 000012
【図１１】
2006230015.tif 000013
【図１２】
2006230015.tif 000014
【図１３】
2006230015.tif 000015
【図１４】
2006230015.tif 000016
【図１５】
2006230015.tif 000017
【図１６】
2006230015.tif 000018
【図１７】
2006230015.tif 000019
【図１８】
2006230015.tif 000020
【図１９】
2006230015.tif 000021
【図２０】
2006230015.tif 000022
【図２１】
2006230015.tif 000023
【図２２】
2006230015.tif 000024
【図２３】
2006230015.tif 000025
【図２４】
2006230015.tif 000026
【図２５】
2006230015.tif 000027
【図２６】
2006230015.tif 000028
【図２７】
2006230015.tif 000029
【図２８】
2006230015.tif 000030
【図２９】
2006230015.tif 000031
【図３０】
2006230015.tif 000032
【図３１】
2006230015.tif 000033
【図３２】
2006230015.tif 000034
【図３３】
2006230015.tif 000035
【図３４】
2006230015.tif 000036
【図３５】
2006230015.tif 000037
【図３６】
2006230015.tif 000038
【図３７】
2006230015.tif 000039
【図３８】
2006230015.tif 000040
【図３９】
2006230015.tif 000041
【図４０】
2006230015.tif 000042
【図４１】
2006230015.tif 000043
【図４２】
2006230015.tif 000044
【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
公衆通信回線に無線によって接続され、前記公衆通信回線を経由して、発信又は受信を行う無線通信手段と、
前記無線通信手段を経由して前記公衆通信回線から通信信号を入力、又は、前記無線通信手段を経由して前記公衆通信回線に通信信号を送出することで、外部装置とのデータ通信及び音声通信を実現するＣＰＵと、
を備える携帯型無線電話装置であって、
第１の表示画面を有し、この表示画面上に画像を表示する第１のディスプレイと、
第１の表示画面よりも面積の小さい第２の表示画面を有し、この表示画面上に画像を表示する第２のディスプレイと、
利用者が操作可能なスイッチからの入力信号に従って、当該携帯型無線電話装置を、第１のディスプレイへの画像出力が行われるアクティブ状態又は非アクティブ状態に切り替える動作切替手段と、
当該携帯型無線電話装置がアクティブ状態に設定されている場合にのみ動作し、当該携帯型無線電話装置が、受信待機中、データ受信中、及び、呼出中のいずれかの動作状態にあるとき、第１の表示画面に、この動作状態を表示させる第１の状態表示制御手段と、
当該携帯型無線電話装置が非アクティブ状態に設定され、当該携帯型無線電話装置が、受信待機中、データ受信中、及び、呼出中のいずれかの動作状態にあるとき、第２の表示画面に、この動作状態を表示させる第２の状態表示制御手段と、
データ通信にて受信されたデータ、及び、留守録機能により受信された音声のデータを記憶するためのメモリと、
前記メモリのデータ格納量を検出する検出手段と、
前記第１又は第２のディスプレイの表示画面に、前記検出手段により検出された前記メモリのデータ格納量を表示させる格納量表示制御手段と、
を備え、
前記格納量表示制御手段は、当該携帯型無線電話装置が受信待機中であるか否かに拘らず、前記第１又は第２のディスプレイの表示画面に、前記検出手段により検出された前記メモリのデータ格納量を表示させる構成にされていること
を特徴とする携帯型無線電話装置。
【請求項２】
前記各状態表示制御手段は、当該携帯型無線電話装置が、受信待機中、データ受信中、呼出中、及び、留守録中のいずれかの動作状態にあるとき、対応する前記ディスプレイの表示画面に、動作状態を表示させる構成にされていること
を特徴とする請求項１記載の携帯型無線電話装置。
【請求項３】
前記格納量表示制御手段は、当該携帯型無線電話装置が、データ受信中であるか否か、及び、呼出中であるか否かに拘らず、前記第１又は第２のディスプレイの表示画面に、前記メモリのデータ格納量を表示させる構成にされていること
を特徴とする請求項１又は請求項２記載の携帯型無線電話装置。
【請求項４】
前記格納量表示制御手段は、当該携帯型無線電話装置が、留守録中であるか否かに拘らず、前記第１又は第２のディスプレイの表示画面に、前記メモリのデータ格納量を表示させる構成にされていること
を特徴とする請求項３記載の携帯型無線電話装置。
【請求項５】
前記データ通信により送信するデータとして、ユーザインタフェースを介し、文字の入力を受け付ける文字受付手段
を備え、
前記文字受付手段は、当該携帯型無線電話装置が受信待機中であるか否かに拘らず、文字の入力を受付可能な構成にされていることを特徴とする請求項１〜請求項４のいずれかに記載の携帯型無線電話装置。
【請求項６】
データ受信中であるか否かを、当該携帯型無線電話装置が受信待機中であるか否かに拘らず、繰返し調査する構成にされていることを特徴とする請求項１〜請求項５のいずれかに記載の携帯型無線電話装置。
【手続補正２】
【補正対象書類名】明細書
【補正対象項目名】全文
【補正方法】変更
【補正の内容】
【発明の詳細な説明】
【技術分野】
【０００１】
本発明は、携帯型無線電話装置に関する。
【背景技術】
【０００２】
従来、携帯型の情報装置として、無線呼出装置や無線電話装置が用いられている。無線呼出装置は、呼出信号やメッセージを受信して、ビープ音を出力したり、或いはメッセージをディスプレイに表示する機能を有する。
【０００３】
一方、無線電話装置は、公衆通信回線を経由して発信、又は受信する機能を有する。
【０００４】
この無線電話装置は、通話に用いられたり、或いはＦＡＸ装置や携帯型のパーソナルコンピュータに接続される。
【発明の開示】
【発明が解決しようとする課題】
【０００５】
しかしながら、従来の情報装置では、無線電話装置と、携帯型コンピュータとを持ち歩けば、個々の機能を活用することは可能であるが、全てを携帯することが現実的ではなく、かつ相互を組み合わせてそれらを複合した機能を得ることができなかった。
【０００６】
本発明は、上記の問題を解決して、これらの個々の機能を複合させた機能を、実用的に得ることを目的とする。
【課題を解決するための手段】
【０００７】
かかる目的を達成するためになされた請求項１記載の携帯型無線電話装置は、公衆通信回線に無線によって接続され、公衆通信回線を経由して、発信又は受信を行う無線通信手段と、無線通信手段を経由して公衆通信回線から通信信号を入力、又は、無線通信手段を経由して公衆通信回線に通信信号を送出することで、外部装置とのデータ通信及び音声通信を実現するＣＰＵと、を備える携帯型無線電話装置であって、第１の表示画面を有し、この表示画面上に画像を表示する第１のディスプレイと、第１の表示画面よりも面積の小さい第２の表示画面を有し、この表示画面上に画像を表示する第２のディスプレイと、利用者が操作可能なスイッチからの入力信号に従って、当該携帯型無線電話装置を、第１のディスプレイへの画像出力が行われるアクティブ状態、又は非アクティブ状態に切り替える動作切替手段と、当該携帯型無線電話装置がアクティブ状態に設定されている場合にのみ動作し、当該携帯型無線電話装置が、受信待機中、データ受信中、及び、呼出中のいずれかの動作状態にあるとき、第１の表示画面に、この動作状態を表示させる第１の状態表示制御手段と、当該携帯型無線電話装置が非アクティブ状態に設定され、当該携帯型無線電話装置が、受信待機中、データ受信中、及び、呼出中のいずれかの動作状態にあるとき、第２の表示画面に、この動作状態を表示させる第２の状態表示制御手段と、データ通信にて受信されたデータ、及び、留守録機能により受信された音声のデータを記憶するためのメモリと、メモリのデータ格納量を検出する検出手段と、第１又は第２のディスプレイの表示画面に、検出手段により検出されたメモリのデータ格納量を表示させる格納量表示制御手段と、を備え、格納量表示制御手段は、当該携帯型無線電話装置が受信待機中であるか否かに拘らず、第１又は第２のディスプレイの表示画面に、検出手段により検出されたメモリのデータ格納量を表示させる構成にされていることを要旨とする。
【０００８】
また、請求項２記載の携帯型無線電話装置は、各状態表示制御手段が、当該携帯型無線電話装置が、受信待機中、データ受信中、呼出中、及び、留守録中のいずれかの動作状態にあるとき、対応する上記ディスプレイの表示画面に、動作状態を表示させる構成にされていることを要旨とする。
【０００９】
また、請求項３記載の携帯型無線電話装置は、当該携帯型無線電話装置が、受信待機中であるか否か、及び、データ受信中であるか否か、及び、呼出中であるか否かに拘らず、格納量表示制御手段が、第１又は第２のディスプレイの表示画面に、メモリのデータ格納量を表示させる構成にされていることを要旨とする。
【００１０】
そして、請求項４記載の携帯型無線電話装置は、当該携帯型無線電話装置が、受信待機中であるか否か、及び、データ受信中であるか否か、及び、呼出中であるか否か、及び、留守録中であるか否かに拘らず、格納量表示制御手段が、第１又は第２のディスプレイの表示画面に、メモリのデータ格納量を表示させる構成にされていることを要旨とする。
【００１１】
その他、請求項５記載の携帯型無線電話装置は、データ通信により送信するデータとして、ユーザインタフェースを介し、文字の入力を受け付ける文字受付手段を備え、文字受付手段が、当該携帯型無線電話装置が受信待機中であるか否かに拘らず、文字の入力を受付可能であることを要旨とする。
また、請求項６記載の携帯型無線電話装置は、データ受信中であるか否かを、当該携帯型無線電話装置が受信待機中であるか否かに拘らず、繰返し調査する構成にされていることを要旨とする。
【発明の効果】
【００１２】
請求項１記載の携帯型無線電話装置によれば、第１のディスプレイが非アクティブ状態でも、第２のディスプレイの表示画面に、動作状態が表示されるので、ユーザは、第１のディスプレイを非アクティブ状態にしても、当該携帯型無線電話装置の動作状態を、第２のディスプレイで確認することができる。また、この携帯型無線電話装置によれば、受信待機中でなくても、データ格納量が表示されるので、ユーザは、受信待機中であるか否かに拘らず、データ格納量を確認することができ、便利である。
この結果、本発明では、複合された複数の機能が実用的に得られ、利便性の高い携帯型無線電話装置が得られるという極めて優れた効果を奏する。
【００１３】
また、請求項２記載の携帯型無線電話装置によれば、留守録中でも、その動作状態が表示されるので、ユーザにとっては大変便利である。
その他、請求項３記載の携帯型無線電話装置によれば、ユーザは、当該携帯型無線電話装置が、呼出中やデータ受信中であるか否かに拘らず、データ格納量を確認することができるので、大変便利である。また、請求項４記載の携帯型無線電話装置によれば、ユーザは、当該携帯型無線電話装置が、留守録中であるか否かに拘らず、データ格納量を確認することができるので、大変便利である。
【００１４】
また、請求項５記載の携帯型無線電話装置によれば、ユーザは、携帯型無線電話装置が受信待機中でない場合でも、文字入力を行うことができるので、大変便利である。その他、請求項６記載の携帯型無線電話装置では、データ受信中であるか否かを、当該携帯型無線電話装置が受信待機中であるか否かに拘らず、繰返し調査し、データ受信中である場合には、その動作状態をディスプレイに表示するので、ユーザにとっては大変便利である。
【発明を実施するための最良の形態】
【００１５】
次に本発明の実施例を説明する。図１、図２は、パーソナルコミュニケータ１の斜視図、図３は、そのブロック図である。
パーソナルコミュニケータ１は、ペン入力デバイス３と、本体５と、無線電話装置７と、ＧＰＳ利用者装置８とを備えている。ペン入力デバイス３は、収容枠９に保持されており、収容枠９と本体５とは、連結部１１で矢印ＹＹ方向に開閉可能に連結されている。収容枠９と、本体５との間には、図１に示す開いた状態の保持と、図２に示す閉じた状態の保持とを行なう図示しない保持機構が設けられている。
【００１６】
収容枠９には、マイク１３と、ディスプレイ１５と、オンスイッチ１７と、オフスイッチ１９とがペン入力デバイス３の近傍に取り付けられている。マイク１３の近傍には、「マイク」レタリング１３Ａが施されており、オンスイッチ１７の近傍には「オン」レタリング１７Ａ、オフスイッチ１９の近傍には「オフ」レタリング１９Ａが施されている。オンスイッチ１７と、オフスイッチ１９とは、各々２個のスイッチパネル１７ＡＡ、１７ＢＢ、１９ＡＡ、１９ＢＢを備えている。これらは、収容枠９の表面より３ミリメートル凹状態で配設されている。スイッチパネル１７ＡＡと、１７ＢＢとは、両方ともほぼ同時に操作された場合にオン信号を出力する。スイッチパネル１９ＡＡと、１９ＢＢとは、両方ともほぼ同時に操作された場合に、オフ信号を出力する。これにより、携帯時などに誤って手などが触れることによる誤操作が防止される。この結果、収容枠９の表面へのスイッチの取付が可能になる。
【００１７】
無線電話装置７と、本体５とは、収容箱２１に収容されている。収容箱２１には、ＣＰＵ２３と、音声解析プロセッサ２４と、ＲＯＭ２５と、ＲＡＭ２７と、ＥＥＰＲＯＭ２９と、ペン入力コントローラユニット３１と、入力インタフェース３３と、蓄電池３５と、電源ソケット３７、３９と、電話コントローラ４１と、音声信号発生ユニット４３と、入出力コントローラ４５と、イヤー通話コントローラ４７と、イヤー通話器４９と、スピーカ５１と、スピーカオンスイッチ５２と、ディスプレイコントローラ５３と、入力ペン５
５と、入力ペン収納孔５７と、ペン取り出しボタン５９と、出力インタフェース６１と、モニタランプ６３と、モニタスピーカ６５と、アッテネータ６６と、電話出力コントローラ６７と、電話出力コネクタ６９と、データ入出力コントローラ７１と、データ入出力コネクタ７３と、内蔵アプリケーションコネクタ７４と、ＥＰＲＯＭコネクタ７６と、カードコネクタ７５、７７と、カード収納部７９と、電源コントローラ８１と、スピーカ収納部８３と、イヤー通話器収納具８５と、足８７と、無線電話ユニット８９と、アンテナ９１と、アンテナ収納部９３とが備えられている。
【００１８】
内蔵アプリケーションコネクタ７４には、アプリケーションソフトウエアＲＯＭ９４が差し込まれる。ＥＰＲＯＭコネクタ７６には、地図データＲＯＭ９６が差し込まれる。アプリケーションソフトウエアＲＯＭ９４には、ワードプロセッサソフトと、データベースソフトと、ナビゲーションソフトとが格納されている。ワードプロセッサソフトは、パーソナルコミュニケータ１にワードプロセッサ機能を持たせるためのものである。データベースソフトは、パーソナルコミュニケータ１にデータベース機能を持たせるためのものである。地図データＲＯＭ９６は、道路地図や地名、施設名などの地図データと、公的施設の住所や電話番号などの地図関連データとを備えている。例えば、ＪＡＦ等のロードサービスや、タクシ、警察署などの住所、位置座標、電話番号などの地図関連データを備えている。電話番号は、１の名称に対して、課毎や要件先毎に複数登録されている。
【００１９】
ナビゲーションソフトは、パーソナルコミュニケータ１にナビゲーション機能を持たせるためのものである。ナビゲーション機能としては、ＧＰＳ利用者装置８から読み込んだ位置座標と高度の現在位置データＮＥＨに基づいて、現在位置の近傍や所定範囲の地図データを地図データＲＯＭ９６から読み込んで、ペン入力デバイス３の表示面３Ｃに表示するものがある。
【００２０】
カード収納部７９には、アプリケーションソフトウエアカード９５、９７が収納される。アプリケーションソフトウエアカード９５、９７は、カードコネクタ７５、７７に接続される。電話出力コネクタ６９には、電話ケーブル９９が接続される。電話ケーブル９９は、ファクシミリ装置１０１に接続される。データ入出力コネクタ７３には、データ出力ケーブル１０３が接続される。データ出力ケーブル１０３は、パーソナルコンピュータ１０５、プリンタ１０７、又はＧＰＳ利用者装置８に接続される。
【００２１】
無線電話装置７は、無線電話ユニット８９と、イヤー通話コントローラ４７と、入出力コントローラ４５と、イヤー通話器４９と、スピーカ５１と、マイク１３と、アンテナ９１とから構成されており、図示しない無線電話網との間で、発信、及び受信を行う機能を有する。電話コントローラ４１は、ＣＰＵ４１からの指令に基づいて、入出力コントローラ４５と、無線電話ユニット８９とを制御する。音声信号発生ユニット４３は、ＣＰＵ２３からの指令に基づいて所定の音声を合成し、入出力コントローラ４５を経由して無線電話ユニット８９に出力する。
【００２２】
入力インタフェース３３は、蓄電池３５の電圧と消費電流と充電電流とを検出する。電源コントローラ８１は、オンスイッチ１７が操作された場合には、パーソナルコミュニケータ１全体に電源を供給してアクティブ状態にし、オフスイッチ１９が操作された場合には、パーソナルコミュニケータ１の待機系に電源を供給して、待機状態にする。
【００２３】
ペン入力デバイス３は、液晶ディスプレイ３Ａと、センサ層３Ｂとを備えている。液晶ディスプレイ３Ａは、ペン入力コントローラユニット３１と接続されており、表示面３Ｃに所定の画像データを表示する。センサ層３Ｂは、ペン入力コントローラユニット３１に接続されており、液晶ディスプレイ３Ａの下に配設されて、入力ペン５５のペン先５５Ａの位置を検出する。入力ペン５５は、ペン先５５Ａの近傍に図示しないコイルが設けられている。入力ペン５５は、クリック／ドラッグ用のボタン５５Ｂを備えている。ペン入力デバイス３と、入力ペン５５とは、周知の電磁授受方式によって、ペン入力での位置を検出する。ペン入力デバイス３は、ＲＯＭ２５内に格納されているペン入力デバイスによって、キーボードを用いることなく文字入力の機能と、ポインティングデバイスの機能とを有する。
【００２４】
スピーカ５１は、図１に示すように、スピーカ本体５１Ａと、支持部材５１Ｂと、連結部材５１Ｃとを備えている。スピーカ本体５１Ａと、支持部材５１Ｂとは、連結部材５１Ｃによって矢印ＹＡ、ＹＢ方向に回動可能に連結されている。スピーカ本体５１Ａと、支持部材５１Ｂとは、矢印ＹＣ方向に押されることによって、スピーカ収納部８３に収納される。また、スピーカ５１は、スピーカオンスイッチ５２に接続されており、矢印ＹＤ方向に引き出されると、「オフ」状態から「オン」状態に切り替わる。支持部材５１Ｂは、図示しない排出機構に連結されており収納状態で、「押」レタリング部５１Ｄを矢印ＹＣ方向に押し込むと、スピーカ本体５１Ａを使用位置まで飛び出させる。図示しない排出機構には、スピーカオンスイッチ５２の図示しない操作リンクが取り付けられている。
【００２５】
イヤー通話器４９は、使用しない場合には、イヤー通話器収納具８５に収納されている。また、使用する場合には、引き出されて使用される。これは、使用後、指掛け孔８５Ｂに指を掛けて、矢印８５Ａに従ってイヤー通話器収納具８５を回動すると、収納される。
【００２６】
アンテナ９１は、通常、アンテナ収納部９３に収納されている。また、送受信状態を向上させる場合には、引き出して用いる。このため、矢印ＹＥ、ＹＦ方向の移動自由度と、矢印ＹＨ、ＹＧ方向への回動性とを備えている。
【００２７】
入力ペン５５は、図２に示すように、使用しない場合は、入力ペン収納孔５７内に格納されている。ペン取り出しボタン５９は、押し込まれると、入力ペン５５を飛び出させる図示しない排出機構に連結されている。
【００２８】
ＲＯＭ２５は、制御プログラムや変数テーブルを格納している。ＥＥＰＲＯＭ２９は、設定値や指定値などを保持する。
ＧＰＳ利用者装置８は、周知の構成としてのアンテナ８Ａと、座標演算装置８Ｂと、ディスプレイ８Ｃと、操作ボタン８Ｄとを備えており、現在位置の位置座標と、高度との現在位置データＮＥＨを出力する。ＧＰＳ利用者装置８は、データ出力ケーブル１０３によって、パーソナルコミュニケータ１のデータ入出力コントローラ７１に接続され、現在位置データＮＥＨをパーソナルコミュニケータ１に出力する。ディスプレイ８Ｃは、現在位置の座標ＮＥと高度Ｈとを、表示する。操作ボタン８Ｄは、電源のオンオフの操作や計測モードの設定などを行なう。
【００２９】
次にＣＰＵ２３によって実行される制御を説明する。
図４は、ディスプレイ１５の表示状態の説明図、図５は、ディスプレイ制御の説明図、図６は、ディスプレイ制御処理ルーチンのフローチャートである。
【００３０】
図４の（Ａ）に示すように、ディスプレイ１５の表示面１５Ａは、電源残量表示領域１５Ｂと、動作状態表示領域１５Ｃとを備えている。電源残量表示領域１５Ｂは、「電源」表示１５Ｄと、「０％」表示１５Ｅと、「１００％」表示１５Ｆと、残量表示１５Ｇとを備えている。残量表示１５Ｇは、蓄電池３５の残量を棒グラフ表示する。動作状態表示領域１５Ｃは、図５に示す（Ａ）〜（Ｋ）のような種類の表示態様を有する。
【００３１】
図６に示すディスプレイ制御処理はＣＰＵ２３によって所定時間毎に実行される。まず、電源容量検出が行われる（ステップ１００、以後ステップをＳと記す）。電源容量は、図示しない電源容量算出処理によって、入力インタフェース３３を介して入力した蓄電池３５の電圧と、消費電流、充電電流の積分値とに基づいて推定する。次いで、電源容量表示を行う（Ｓ１１０）。表示は、残量表示１５Ｇにより行う。例えば、電源容量が１００％であれば、図４の（Ａ）に示すように表示し、８０％であれば、図４の（Ｂ）に示すように表示する。
【００３２】
次に、受信待機中かを判断する（Ｓ１２０）。受信待機中は、ＲＡＭ２７の所定エリアに設定される受信待機中フラグのセット状態によって判断する。受信待機中でなければそのまま次の処理に移行し、受信待機中であれば受信待機中表示を行う（Ｓ１３０）。受信待機中表示では、ディスプレイ１５に図５の（Ａ）、又は（Ｉ）、（Ｊ）、（Ｋ）に示した表示を行う。
【００３３】
次いで、ＦＡＸ受信中かの判断を行う（Ｓ１４０）。ＦＡＸ受信中は、ＦＡＸ受信中フラグによって行う。ＦＡＸ受信中であれば、ＦＡＸ受信中表示を行う（Ｓ１５０）。ＦＡＸ受信中表示は、図５の（Ｂ）に示すように行う。
【００３４】
以後、同様にデータ受信中であれば（Ｓ１６０）、図５の（Ｃ）のようなデータ受信中表示（Ｓ１７０）、ＦＡＸ送信中であれば（Ｓ１８０）、図５の（Ｄ）のようなＦＡＸ送信中表示（Ｓ１９０）、呼出中であれば（Ｓ２００）、図５の（Ｅ）のような呼出中表示（Ｓ２１０）、データ送信中であれば（Ｓ２２０）、図５の（Ｆ）のようなデータ送信中表示（Ｓ２３０）、通話中であれば（Ｓ２４０）、図５の（Ｇ）のような通話表示（Ｓ２５０）、留守録中であれば（Ｓ２６０）、図５の（Ｈ）のような留守録中表示（Ｓ２７０）を行なう。
【００３５】
次に、データ格納量を検出する（Ｓ２８０）。データ格納量は、留守録のデータ格納量と、受信ＦＡＸのデータ格納量と、受信データのデータ格納量とを検出する。次いで、データ格納量表示を行う（Ｓ２９０）。留守録の格納量は、図５の（Ｉ）に示すように、ＦＡＸの格納量は、図５の（Ｊ）に示すように、受信データの格納量は、図５の（Ｋ）で示すように行う。
【００３６】
以上のディスプレイ制御は、オンスイッチ１７、オフスイッチ１９の操作状態に拘りなく常時行われる。これにより、パーソナルコミュニケータ１の動作状態を常時モニタすることができる。
【００３７】
図７はモニタ制御処理ルーチンのフローチャートである。ＣＰＵ２３によって所定時間毎に実行される。まず、受信中かの判断を行う（Ｓ３００）。受信中であれば、受信表示を行う（Ｓ３１０）。受信表示は、モニタランプ６３をグリーン点灯させるとともに、モニタスピーカ６５に受信音を出力させる。受信音の音量は、アッテネータ６６によって調整される。
【００３８】
次いで、送信中の判断を行なって（Ｓ３２０）、送信中であれば送信表示を行う（Ｓ３３０）。送信表示は、モニタランプ６３をレッド点灯させるとともに、モニタスピーカ６５に送信音を出力させる。
【００３９】
次に、異常であるかを判断し（Ｓ３４０）、異常であれば異常表示を行う（Ｓ３５０）。異常は、メモリがフルの状態や蓄電池３５の電圧低下などの各種異常を検出する。表示は、モニタランプ６３をグリーン、レッド交互点灯するとともに、モニタスピーカ６５に警報音を出力させる。
【００４０】
以上に説明したモニタ制御により、パーソナルコミュニケータ１の作動状態をモニタすることができる。
図８は、パーソナルコミュニケータ１の待機、及び充電状態の使用状態図である。これに示す状態で使用している場合に、モニタランプ６３とモニタスピーカ６５とによって、パーソナルコミュニケータ１の状況を一瞬で把握することができる。パーソナルコミュニケータ１は、足８７を下にして、図８に示すように台１１０上に立てての待機状態、及び外部電源装置１１１による充電電力の供給を受ける。ＧＰＳ利用者装置８は、外部電源装置１１１による充電電力の供給を受ける。
【００４１】
図９は、コミュニケータ制御処理ルーチンのフローチャート、図１０は、現況報告画面の説明図である。
コミュニケータ制御処理ルーチンは、オンスイッチ１７からオン信号が出力されたときＣＰＵ２３によって起動され、次にオフスイッチ１９からオフ信号が出力されるまで繰り返し実行される。まず、現況調査が行われ（Ｓ４００）、次いで現況報告画面表示が実行される（Ｓ４１０）。図１０がペン入力デバイス３の表示面３Ｃに表示される現況報告画面の一例である。現況報告画面には、現況報告表示１２１と、動作状態表示領域１２３と、メモリ残量表示１２５と、ＦＡＸデータ格納量表示１２７と、データ格納量表示１２９と、留守録格納量表示１３１と、ＦＡＸメニュー表示１３３と、データメニュー表示１３５と、電話メニュー表示１３７と、ナビゲーションメニュー表示１３８と、アプリケーションメニュー表示１３９と、設定メニュー表示１４１と、ＧＰＳ運用中表示１４３と、応答設定状態表示領域１４５と、自動応答設定状態表示領域１４７とが表示されている。動作状態表示領域１２３には、「受信待機中」、「ＦＡＸ受信中」、「データ受信中」、「ＦＡＸ送信中」、「呼出中」、「データ送信中」、「通話」、または「留守録中」の何れかが表示される。
【００４２】
メモリ残量表示１２５では、ＦＡＸ、データ、留守録の格納可能メモリ残量をパーセント表示する。
応答設定状態表示領域１４５には、応答表示１４５Ａと、電話表示１４５Ｂと、ＦＡＸ表示１４５Ｃと、データ表示１４５Ｄとが表示される。応答設定状態表示領域１４５の表示状態は、後述する処理で変更される。
【００４３】
自動応答設定状態表示領域１４７には、自動応答表示１４７Ａと、電話表示１４７Ｂと、ＦＡＸ表示１４７Ｃと、データ表示１４７Ｄとが表示される。自動応答設定状態表示領域１４７の表示状態は、後述する処理で変更される。
【００４４】
次いで判断を行う（Ｓ４２０）。判断では、入力ペン５５による項目の選択を待機する。
ここで、ＦＡＸメニュー表示１３３が選択された場合には、次にＦＡＸ処理を行う（Ｓ４３０）。各処理については、後述する。電話メニュー表示１３７が選択された場合には、電話処理を行う（Ｓ４４０）。データメニュー表示１３５が選択された場合には、データ処理を行う（Ｓ４５０）。ナビゲーションメニュー表示１３８が選択された場合には、ナビゲーション処理を行う（Ｓ４５５）。アプリケーションメニュー表示１３９が選択された場合には、アプリケーション処理を行う（Ｓ４６０）。設定メニュー表示１４１が選択された場合には、設定処理を行う（Ｓ４７０）。
【００４５】
図１１は、ＦＡＸ処理ルーチンのフローチャート、図１２は、文書入力画面の説明図である。
図１１のＦＡＸ処理ルーチンは、図９のＳ４３０の内容を示す。ＦＡＸ処理ルーチンが起動されると、まず文書入力画面が表示される（Ｓ５００）。文書入力画面は、図１２に一例を示すように、メニュー領域１５１と、文書入力領域１５３とを備えている。メニュー領域１５１には、ＦＡＸメニュー表示１５５と、ＦＡＸ送信表示１５７と、受信ＦＡＸ表示表示１５９と、中止表示１６１とが表示されている。文書入力領域１５３は、始めは無地状態である。
【００４６】
文書入力画面の表示後、判断が行われる（Ｓ５１０）。判断では、文字入力が選択されたか、ＦＡＸメニュー表示１５５が選択されたか、ＦＡＸ送信表示１５７が選択されたか、受信ＦＡＸ表示表示１５９が選択されたか、あるいは中止表示１６１が選択されたかを見る。ここで、文字入力の選択とは、図１２に示すように、入力ペン５５によって、文書入力領域１５３を選択した場合である。
【００４７】
文字入力が選択された場合には、次に文書処理が行われる（Ｓ５２０）。文書処理は、ペン入力コンピュータの文書入力機能の主要部分を占めるものであって、まず入力ペン５５によって指示された点、例えば点１６２に、カーソル１６３を表示する。次いで、ペン入力領域枠１６５の表示を行う。ペン入力領域枠１６５の表示後、ペン入力を待機する。ここで、図１２に示すように、例えば平仮名入力があれば、それをなぞってペン入力領域枠１６５内に表示する。又、漢字入力があれば、該当する漢字を表示する。この後、入力ペン５５によって、変換表示１６７が選択されたら、辞書変換を行い、その変換後の文章をカーソル１６３の位置に表示する。また、再度、変換表示１６７が選択された場合には、第２候補の辞書変換を行う。入力文章は、次のペン入力があると確定される。また、削除表示１６９が選択されると、文書入力領域１５３内の文字やペン入力の軌跡を削除する処理が行われる。軌跡表示１７１が選択されると、文書入力領域１５３における入力ペン５５の軌跡がそのまま入力される。文書入力領域１５３に表示されている画像は、ＲＡＭ２７内のＦＡＸデータメモリ２７Ａに格納されている。
【００４８】
Ｓ５１０の判断において、ＦＡＸメニュー表示１５５が選択された場合には、次にＦＡＸメニュー処理を行い（Ｓ５３０）、ＦＡＸ送信表示１５７が選択された場合には、次にＦＡＸ送信処理を行い（Ｓ５４０）、受信ＦＡＸ表示表示１５９が選択された場合には、次に受信ＦＡＸ表示処理を行う（Ｓ５５０）。詳細は後述する。また、中止表示１６１が選択された場合には、本ルーチンをそのまま一旦終了する。
【００４９】
図１３は、ＦＡＸメニュー処理ルーチンのフローチャート、図１４は、ＦＡＸメニュー画面の説明図である。
ＦＡＸメニュー処理が起動されると、まずＦＡＸメニュー画面の表示が行われる（Ｓ６００）。ＦＡＸメニュー画面は、図１４に一例を示すように、メニュー領域１８１と、文書選択領域１８３とを備えている。メニュー領域１８１には、次ページ表示１８５と、ＦＡＸ送信表示１８７と、受信ＦＡＸ表示表示１８９と、中止表示１９１と、削除表示１９３とが表示されている。文書選択領域１８３には、文書選択表示１９４と、文書一覧１９５、地図選択表示１９６と、縮尺一覧１９８とが設けられており、文書一覧１９５には、文書名表示１９７が表示され、縮尺一覧１９８には、縮尺名表示１９９が表示されている。
【００５０】
ＦＡＸメニュー画面の表示後、判断が行われる（Ｓ６１０）。判断では、文書選択が行われたか、地図選択が行われたか、あるいは次ページ表示１８５が選択されたか、ＦＡＸ送信表示１８７が選択されたか、受信ＦＡＸ表示表示１８９が選択されたか、中止表示１９１が選択されたか、削除表示１９３が選択されたかを判断する。
【００５１】
Ｓ６１０の判断で、次ページ表示１８５が選択された場合には、ページ変更処理が実行される（Ｓ６２０）。ページ変更処理では、文書一覧１９５が次ページに変更される。
ここで、文書選択、つまり何れかの文書名表示１９７が選択された場合には、次に文書処理を行う（Ｓ６３０）。文書処理では、まず図１２に示した、文書入力画面を表示するとともに、選択された文書名表示１９７の文書ファイル２７Ｂに格納されている文書データを文書入力領域１５３に表示する。文書ファイル２７Ｂは、ＲＡＭ２７内に設定されている。以後、この表示された文書データに対して、既述したＳ５２０とほぼ同様の文書処理が行われる。つまり、予め用意していた文章を編集して、用いることができる。
【００５２】
判断（Ｓ６１０）で、地図選択、つまり何れかの縮尺名表示１９９が選択された場合には、次に地図処理を行う（Ｓ６３５）。地図処理では、現在位置を中心にして、選択された縮尺の地図データを地図データＲＯＭ９６から読み込んで、文書入力領域１５３に表示する。例えば、「１  ３００Ｍ」表示１９９Ａが選択された場合には、現在位置を中心に、３００メートル四方の地図が表示される。現在位置のデータは、ＧＰＳ利用者装置８からの出力を利用する。以後、この表示された地図データに対して、既述した６３０と同様の文書処理が行われる。つまり、地図の画面に文章などのデータを重ねることができる。
【００５３】
判断で、ＦＡＸ送信表示１８７が選択された場合には、ＦＡＸ送信処理が実行され（Ｓ６４０）、受信ＦＡＸ表示表示１８９が選択された場合には、受信ＦＡＸ表示処理が実行され（Ｓ６５０）、削除表示１９３が選択された場合には、削除処理が実行される（Ｓ６６０）。また、中止表示１９１が選択された場合には、本ルーチンは、そのまま一旦終了される。
【００５４】
図１５は、ＦＡＸ送信処理ルーチンのフローチャート、図１６は、ＦＡＸ送信画面の説明図である。ＦＡＸ送信処理が起動されると、まずＦＡＸ送信画面の表示が行われる（Ｓ７００）。ＦＡＸ送信画面は、図１６に一例を示すように、メニュー領域２０１と、送信条件選択領域２０３とを備えている。メニュー領域２０１には、設定表示２０５と、中止表示２０７とが表示されている。送信条件選択領域２０３には、送信先選択表示２０９と、送信時間選択表示２１１と、送信先一覧２１３と、送信時間一覧２１５とが設けられており、送信先一覧２１３には、送信先名２１７が表示され、送信時間一覧２１５には、送信時間名２１９が表示されている。
【００５５】
ＦＡＸ送信画面の表示後、判断が行われる（Ｓ７１０）。判断では、送信先選択が行われたか、送信時間選択が行われたか、設定表示２０５の選択が行われたか、あるいは中止表示２０７の選択が行われたかを判断する。ここで送信先選択、すなわち、何れかの送信先名２１７が選択された場合には、次に送信番号設定処理を実行する（Ｓ７２０）。送信番号設定処理では、まず選択された送信先名２１７に設定されている電話番号を、ＲＡＭ２７内の送信番号メモリ２７Ｃにセットする処理を行う。セット後、判断処理に戻る。
【００５６】
判断処理で、送信時間選択、すなわち、何れかの送信時間名２１９が選択さている場合には、次に送信時間設定処理を実行する（Ｓ７３０）。送信時間設定処理では、まず選択された送信時間名２１９に設定されている送信時間をＲＡＭ２７内の送信時間メモリ２７Ｄにセットする処理を行う。
【００５７】
セット後、次に設定された送信時間が即時かを判断し（Ｓ７４０）、即時でなければ、そのまま本ルーチンを一旦終了する。送信時間が即時であれば、次にＦＡＸ送信を実行する（Ｓ７５０）。ＦＡＸ送信処理は、無線電話装置７によって、ＲＡＭ２７内のＦＡＸデータメモリ２７Ａに格納されているＦＡＸデータを、送信番号メモリ２７Ｃに設定されている送信先に、ファクシミリ送信する処理を行う。これにより、ペン入力デバイス３によって入力した、文章や画像を、その場で、所望の先方にファクシミリ送信することができる。また、現在位置を中心にして描いた地図データを所望の先方に送ることができる。なお、即時送信でない場合は、後述する。
【００５８】
Ｓ７１０の判断で、設定表示２０５が選択された場合には、次にＦＡＸ設定処理が実行される（Ｓ７６０）。ＦＡＸ設定処理では、用紙の大きさ、ファクシミリの規格、送信先の追加、変更、送信時間の追加、変更を、図示しないＦＡＸ設定処理ルーチンによって、行う。つまり、予め設定しておくべき送信条件が設定される。
【００５９】
判断で、中止表示２０７が選択された場合には、本ルーチンをそのまま一旦終了する。
図１７は、受信ＦＡＸ表示処理ルーチンのフローチャート、図１８は、受信ＦＡＸ一覧画面の説明図である。受信ＦＡＸ表示処理が起動されると、まず受信ＦＡＸ一覧画面表示が行われる（Ｓ８００）。受信ＦＡＸ一覧画面は、図１８に一例を示すように、メニュー領域２２１と、受信ＦＡＸ選択領域２２３とを備えている。メニュー領域２２１には、データ出力表示２２５と、中止表示２２７とが示されている。受信ＦＡＸ選択領域２２３には、受信ＦＡＸ一覧表示２２９と、受信ＦＡＸ一覧２３１とが設けられており、受信ＦＡＸ一覧２３１には、受信ＦＡＸ名２３３が表示されている。
【００６０】
受信ＦＡＸ一覧画面の表示後、判断が行われる（Ｓ８１０）。判断では、選択が行われたか、データ出力表示２２５が選択されたか、あるいは中止表示２２７が選択されたかを判断する。
【００６１】
ここで何れかの受信ＦＡＸ名２３３が選択された場合には、次に受信ＦＡＸ表示処理を実行する（Ｓ８２０）。受信ＦＡＸ表示処理では、受信ＦＡＸ名２３３に対応する受信ＦＡＸデータメモリ２７Ｅの格納内容を、ペン入力デバイス３に画像表示する。
【００６２】
判断で、データ出力表示２２５が選択された場合には、データ出力処理を実行する（Ｓ８３０）。データ出力処理では、図示しないデータ出力画面を表示して、出力方法の選択を求め、選択された方法で受信ＦＡＸデータメモリ２７Ｅの格納内容を出力する。例えば、電話出力コネクタ６９を経由して、他のファクシミリ装置に出力したり、データ入出力コネクタ７３を経由して、他のコンピュータ装置に出力する。ファクシミリ装置に出力することにより、用紙への印刷が実行される。
【００６３】
判断で、中止表示２２７が選択された場合には、本ルーチンは、そのまま一旦終了する。
以上に説明した受信ＦＡＸ表示処理により、無線電話装置７を経由して受信し、受信ＦＡＸデータメモリ２７Ｅに格納されている受信ＦＡＸデータを、表示したり、外部に出力して印刷したりすることができる。
【００６４】
図１９は、削除処理ルーチンのフローチャートである。削除処理ルーチンが起動されると、まずＦＡＸ一覧画面の表示が行われる（Ｓ９００）。図示しないＦＡＸ一覧画面には、ＦＡＸデータメモリ２７Ａの格納内容と、受信ＦＡＸデータメモリ２７Ｅの格納内容とを示すデータ名が表示される。次いで、選択されたＦＡＸを削除する処理を行う（Ｓ９１０）。選択されたＦＡＸを削除する処理では、図示しないＦＡＸ一覧画面上で、入力ペン５５によって選択されたデータ名に対応する格納データを削除する処理を行う。
【００６５】
本削除処理により、送信用、又は受信したＦＡＸデータで、不要になったものを削除することができる。
以上に説明した図９のコミュニケータ制御のＦＡＸ処理（Ｓ４３０）により、ＦＡＸの送信データの作成、送信、表示を入力ペン５５の操作だけで行うことができる。
【００６６】
図２０は、電話処理ルーチンのフローチャート、図２１、図２２、図２３は、電話メニュー画面の説明図、図２４は、メッセージ選択画面の説明図、図２５は、設定処理ルーチンのフローチャート、図２６は、留守録表示処理ルーチンのフローチャートである。
【００６７】
電話処理が起動されると、まず電話メニュー画面の表示が行われる（Ｓ１０００）。電話メニュー画面は、図２１に一例を示すように、メニュー領域２４１と、発信選択領域２４３とを備えている。メニュー領域２４１には、設定表示２４５と、留守録表示表示２４７と、中止表示２４９とが表示されている。発信選択領域２４３には、発信先選択（次ページ）表示２５１と、発信先一覧２５３と、発信条件表示２５４と、発信条件一覧２５５とが設けられており、発信先一覧２５３には、発信先名２５７が表示されており、発信条件一覧２５５には、発信条件名２５９が表示されている。
【００６８】
ここで、発信先選択（次ページ）表示２５１の次ページ表示２５１Ａを選択すると、図２２に示す電話メニュー画面に変更される。この電話メニュー画面には、発信先選択表示２６４と、最寄発信表示２６５と、発信先一覧２６６と、緊急発信表示２６７と、緊急発信先一覧２６８とが設けられている。
【００６９】
電話メニュー画面の表示後、次に判断を行う（Ｓ１０１０）。判断では、何れかの発信先名２５７が選択されたか、設定表示２４５が選択されたか、留守録表示表示２４７が選択されたか、中止表示２４９が選択されたか、何れかの最寄り発信先が選択されたか、何れかの緊急発信先が選択されたかを判断する。
【００７０】
ここで、何れかの発信先名が選択された場合には、次の判断を行う（Ｓ１０２０）。この判断では、発信条件名２５９の中から、即時表示２６１が選択されたか、メッセージ送信表示２６３が選択されたか、あるいは設定表示２４５、留守録表示表示２４７、中止表示２４９が選択されたかを判断する。ここで、即時表示２６１が選択された場合には、電話発信が行われる（Ｓ１０３０）。電話発信では、Ｓ１０１０で選択された発信先に電話を発信する。これにより、先方との通話が可能になる。
【００７１】
Ｓ１０１０の判断で、最寄発信が選択された場合には、最寄発信処理が行われる（Ｓ１０３１）。最寄発信処理とは、発信先一覧２６６の中から、何れかの発信先が選択された場合に実行される処理のことである。この処理では、まず、現在位置の座標ＮＥを入力し、次いで最寄りの発信先の名称を入力する。例えば、名称としては、「１  ＪＡＦ」表示２６６Ａを入力する。
【００７２】
次いで、この現在位置から最も近い選択項目の名称の電話番号を地図データＲＯＭ９６から入力する。
地図データＲＯＭ９６から読み込んだ電話番号が複数の場合、例えば「○○警察署の受付○○番、交通課○○番、防犯課○○番など」の場合には、図２２に示す電話メニュー画面に選択枠２６６Ｂが表示される。選択枠２６６Ｂには、選択一覧２６６Ｃと、次ページ表示２６６Ｄと、削除表示２６６Ｅと、実行表示２６６Ｆとが設けられている。選択一覧２６６Ｃには、「１  受付○○番」などのように表示される。
【００７３】
Ｓ１０１０の判断で、緊急発信が選択された場合には、緊急発信処理が行われる（Ｓ１０３２）。緊急発信処理とは、緊急発信先一覧２６８の中から、何れかの緊急発信先が選択された場合に実行される処理のことである。この処理では、まず、現在位置の座標ＮＥを入力し、次いで最寄りの緊急発信先の名称を入力する。次に、緊急発信先の電話番号を地図データＲＯＭ９６から入力する。
【００７４】
最寄発信処理（Ｓ１０３１）、又は緊急発信処理（Ｓ１０３２）の処理後、電話発信処理を実行する（Ｓ１０３０）。この電話発信処理では、速やかに設定された電話番号の発信を行う。これにより、最寄りの発信先、又は緊急発信先に電話が接続される。
【００７５】
電話発信処理が行われると、次に通話中処理が行われる（Ｓ１０３３）。通話中処理では、まず図２３に示す通話中画面２６９を表示する。通話中画面２６９には、通話先名称表示２６９Ａと、通話先機器表示２６９Ｂと、ＧＰＳ割込処理一覧２６９Ｃと、通話終了表示２６９Ｄとが設けられている。
【００７６】
通話先名称表示２６９Ａは、現在電話が接続されている先方の名称を表示するものである。これを表示するためのデータは、発信先名２５７を表示するために用いられたデータや地図データＲＯＭ９６から読み込まれたデータである。通話先機器表示２６９Ｂは、現在電話中の先方の機器がコミュニケータの○形であると表示するものであって、所定の規則に則って、先方との間でデータ交換されることにより、表示される。ＧＰＳ割込処理一覧２６９Ｃは、地理案内アナウンス表示２６９Ｅと、付近図ＦＡＸ表示２６９Ｆと、付近図データ送信表示２６９Ｇとを備えている。
【００７７】
通話中処理の後、次に判断を行う（Ｓ１０３４）。判断では、通話中画面の選択内容を判断する。ここで、通話終了表示２６９Ｄが選択された場合には、本ルーチンをそのまま一旦終了する。一方、何れかの項目の選択が行われるまでは、入力を待機する。
【００７８】
判断で、地理アナウンス表示２６９Ｅが選択されれば、次に地理アナウンス処理が行われ（Ｓ１０３５）、付近図ＦＡＸ表示２６９Ｆが選択されれば、付近図ＦＡＸ処理が行われ（Ｓ１０３６）、付近図データ送信表示２６９Ｇが選択されれば、付近図データ送信処理が行われる（Ｓ１０３７）。これらの何れかの処理の実行後、通話中処理に戻って、次の項目の選択を待機する。
【００７９】
地理アナウンス処理は（Ｓ１０３５）、現在位置の地理をアナウンスするものである。この処理では、まず、現在位置の座標ＮＥを、入力する。次いで、現在位置の地図データを地図データＲＯＭ９６から読み込む。次に、現在位置の地理的特徴を抽出する。ここでは、1)地名のデータ、2)公的施設からの距離と方向、3)国道、県道などの案内標識の位置と、案内標識からの距離、方向を読み込む。
【００８０】
次に、1)〜3)のデータを順次音声発生ユニット４３によって音声に変換して、電話通話回線にミキシングする。これにより、通話中の電話に現在位置のアナウンスが行われる。
付近図ＦＡＸ処理は（Ｓ１０３６）、現在位置の付近図をＦＡＸするものである。この処理では、まず現在位置の座標ＮＥを入力する。次いで、現在位置の道路、地図データを地図データＲＯＭ９６から読み込んで、付近図画像データを作成し、通話中の電話にＦＡＸ信号をミキシングする。これにより、先方に付近図がＦＡＸされる。
【００８１】
付近図データ送信処理は（Ｓ１０３７）、現在位置の付近図をデータ送信するものである。この処理では、まず現在位置の座標ＮＥを、入力する。次いで、現在位置の道路、地図データを地図データＲＯＭ９６から読み込んで、付近図画像データと、座標データとを作成し、通話中の電話に所定のプロトコルでデータ信号をミキシングする。これにより、先方に付近図のデータが送信される。
【００８２】
Ｓ１０２０の判断において、メッセージ送信表示２６３が選択された場合には、次にメッセージ選択画面を表示する（Ｓ１０４０）。メッセージ選択画面は、図２４に一例を示すように、メニュー領域２７１と、メッセージ選択領域２７３とが表示されている。メニュー領域２７１には、電話発信表示２７５と、中止表示２７７とが表示されている。メッセージ選択領域２７３には、メッセージ選択表示２７９と、メッセージ一覧２８１とが設けられており、メッセージ一覧２８１には、メッセージ名２８３が表示されている。
【００８３】
メッセージ選択画面の表示後、次に判断を行う（Ｓ１０５０）。判断では、中止表示２７７が選択されたか、あるいは何れかのメッセージ名２８３が選択されたかを判断する。ここで、中止表示２７７が選択された場合には、本ルーチンを一旦終了し、何れかのメッセージ名２８３が選択された場合には、次に選択されたメッセージ名２８３に対応する内容を表示する。ここでの表示画面の図示は省略する。表示される内容は、ＲＡＭ２７内のメッセージデータメモリ２７Ｆに格納されている。メッセージデータメモリ２７Ｆの内容は、図示しないメッセージ内容追加、変更ルーチンによって、入力ペン５５を用いて、予め格納される。
【００８４】
内容の表示後、判断が行われる（Ｓ１０７０）。判断で、図示しない電話発信表示が選択された場合には、電話発信を行う（Ｓ１０３０）。ここでの電話発信では、先方への接続後、選択されたメッセージが音声で、自動的に出力される。ここで、先方から応答があった場合には、その音声データが受信電話録音メモリ２７Ｇに、格納される。この内容は、図示しない受信電話録音再生処理により、再生される。
【００８５】
判断で、図示しない中止表示が選択された場合には、そのまま本ルーチンを一旦終了する。これにより、メッセージ送信は、中止される。
電話メニュー画面の表示状態において、設定表示２４５が選択された場合には、次に設定処理が行われる（Ｓ１０８０）。設定処理は、図２５に示すように、まず設定画面が表示される（Ｓ１１００）。設定画面は、図示は省略するが、留守録実行表示と、留守録キャンセル表示と、中止表示と、音声モード表示と、音声文字変換モード表示とを備えている。この設定画面の表示後、判断が行われる。
【００８６】
判断で、留守録実行表示が選択された場合には、次に留守録処理が行われる（Ｓ１１２０）。留守録処理では、無線電話装置７を経由して受信した電話の留守録を実行するセットを行う。以後、受信した電話に対して、自動的に応答し、受信内容を留守録メモリ２７Ｈに格納する処理が自動的に行われる。
【００８７】
一方、判断で、留守録キャンセル表示が選択された場合には、留守録キャンセル処理が行われる（Ｓ１１３０）。この処理により、受信した電話を留守録する処理が停止される。また、判断で、中止表示が選択された場合には、そのまま本ルーチンを一旦終了する。
【００８８】
判断で、音声モード表示が選択された場合には、文字変換キャンセル処理が実行される（Ｓ１１４０）。文字変換キャンセル処理では、次に説明する文字変換作動をキャンセルする。
【００８９】
判断で、音声文字変換モード表示が選択された場合には、文字変換作動処理を行う（Ｓ１１５０）。文字変換作動処理では、ＲＡＭ２７内の受信電話録音メモリ２７Ｇに格納された留守録音声を、音声解析プロセッサ２４により、文字データに変換して、受信電話文字メモリ２７Ｉに格納する処理を行う。また、留守録以外の場合には、無線電話装置７を経由して受信した音声信号を、リアルタイムで、文字データに変換して、ペン入力デバイス３に文字表示する処理を行う。これにより、受信した電話通話を、音声で聞くことに加えて、あるいは音声で聴くことに替えて、文字データで確認することができる。
【００９０】
以上の、設定処理により、留守録を行うか否かを簡単に設定することができる。また、電話通話を文字データに変換して、認識することから、音を発することができない場面の電話通話に便利であり、あるいは聾唖者用の電話装置として活用できる。
【００９１】
電話メニュー画面の表示状態において、留守録表示表示２４７が選択された場合には、次に留守録表示処理が行われる（Ｓ１０９０）。
留守録表示処理は、図２６に示すように、まず留守録一覧画面が表示される（Ｓ１２００）。留守録一覧画面は、図示は省略するが、留守録一覧と、留守文字一覧と、削除表示と、中止表示とを備えている。この判断で、留守録一覧、又は留守文字一覧の中から、何れかの留守録、又は留守文字が選択された場合には、次にそれを再生する（Ｓ１２２０）。再生は、留守録の場合では、ＲＡＭ２７内の受信電話録音メモリ２７Ｇの中から留守録データを呼び出して、イヤー通話器４９、又はスピーカ５１によって、行なう。また、留守文字の場合では、ＲＡＭ２７内の受信電話文字メモリ２７Ｉの中から留守文字データを呼び出して、ペン入力デバイス３により、行なう。
【００９２】
判断で、削除であるとされた場合には、次に削除処理を行う（Ｓ１２３０）。削除処理は、留守録一覧の中、又は留守文字一覧の中から入力ペン５５によって、選択された留守録音を受信電話録音メモリ２７Ｇの中から削除する処理、又は受信電話文字メモリ２７Ｉの中から削除する処理を行う。
【００９３】
判断で、中止が選択された場合には、そのまま本ルーチンを一旦終了する。
以上に説明した留守録表示処理により、留守録した音声データを再生することと、文字データの型式で留守録したデータを表示することができる。
【００９４】
図２７は、データ処理ルーチンのフローチャート、図２８は、データ入力画面の説明図、図２９は、伝送条件設定処理ルーチンのフローチャート、図３０は、データ送信処理ルーチンのフローチャートである。
【００９５】
図２７のデータ処理が起動されると、まずデータ入力画面の表示が行われる（Ｓ１３００）。データ入力画面は、図２８に示すように、メニュー領域２９１と、データ入力領域２９３とを備えている。メニュー領域２９１には、伝送条件設定表示２９５と、データ送信表示２９７と、受信データ表示表示２９９と、付近図表示３００と、中止表示３０１とが設けられている。データ入力領域２９３は、始めは無地状態である。
【００９６】
データ入力画面の表示後、判断が行われる（Ｓ１３１０）。判断では、データ入力が選択されたか、伝送条件設定表示２９５が選択されたか、データ送信表示２９７が選択されたか、受信データ表示表示２９９が選択されたか、付近図表示３００が選択されたか、中止表示３０１が選択されたかを見る。ここで、データ入力の選択とは、入力ペン５５によって、データ入力領域２９３を選択した場合である。
【００９７】
データ入力が選択された場合には、次にデータ入力処理が行われる（Ｓ１３２０）。データ入力処理では、まず入力ペン５５によって指示された点、例えば図２８に示すように点３０３に、カーソル３０５を表示するとともに、ペン入力領域枠３０７を表示する。次いで、入力されたデータを送信データデータメモリ２７Ｊに格納する処理を行う。
【００９８】
判断で、付近図表示３００が選択された場合には、データ入力領域２９３に付近図を入れ込む地図処理を行う（Ｓ１３１５）。この処理では、まず現在位置の座標ＮＥを入力し、次いで、現在位置の周辺の地図、道路データを地図データＲＯＭから入力して、例えば図２８に示すように、データ入力領域２９３に書き込む処理を行う。
【００９９】
判断で、伝送条件設定表示２９５が選択された場合には、次に伝送条件設定処理を行う（Ｓ１３３０）。詳細は後述する。また、判断で、データ送信表示２９７が選択された場合には、次にデータ送信処理を実行し（Ｓ１３４０）、受信データ表示表示２９９が選択された場合には、受信データ表示処理を実行し（Ｓ１３５０）、中止表示３０１が選択された場合には、本ルーチンをそのまま一旦終了する。
【０１００】
Ｓ１３３０の伝送条件設定処理では、図２９に示すように、まず伝送条件設定画面表示を行う（Ｓ１４００）。伝送条件設定画面は、図示を省略するが、選択表示と、中止表示と、終了表示とを備えている。
【０１０１】
ここで、選択表示が選択された場合には、次に伝送条件変更処理が行われる（Ｓ１４２０）。伝送条件変更処理では、まず図示しない伝送条件変更画面を表示する。この伝送条件変更画面には、終了表示と、中止表示と、およびＢＰＳ表示、キャラクタ長表示、パリティチェック表示、ストップビット数表示、Ｘパラメータ表示などのデータ伝送を行う場合の伝送条件選択表示とが表示されている。次いで、画面上で選択された情報を入力する処理を行う。
【０１０２】
この伝送条件変更画面、又は伝送条件設定画面の状態で、終了表示が選択されると、伝送条件変更処理の内容が確定される。また、中止表示が選択されると、伝送条件変更処理の変更が中止される。つまり、従前の内容は、変更されることはない。
【０１０３】
本伝送条件設定処理により、コンピュータ間のデータ伝送のプロトコルを設定することができる。
図２７のＳ１３１０でデータ送信表示２９７が選択された場合には、図３０のデータ送信処理に示すように、まずデータ送信画面表示が行われる（Ｓ１５００）。データ送信画面は、図示を省略するが、送信先選択表示と、送信時間選択表示と、設定表示と、中止表示とを備えている。表示後判断が行われる（Ｓ１５１０）。
【０１０４】
ここで、送信先選択表示が選択されたと判断した場合には、次に送信番号設定処理が実行される（Ｓ１５２０）。
送信番号設定処理では、まず図示しない送信番号選択画面が表示される。送信番号選択画面には、送信番号一覧と、新規番号追加表示とが設けられている。送信番号一覧には、送信番号表示が複数設けられている。新規番号追加表示は、これが選択されると、ペン入力領域枠が表示され、新規の送信先番号が入力される。ここで、所望の送信番号の選択を待って、選択があったらこの番号をデータ送信番号メモリ２７Ｋに設定する。
【０１０５】
判断で、送信時間選択表示が選択された場合には、つぎに送信時間設定処理を行う（Ｓ１５３０）。送信時間設定処理では、まず図示しない送信時間選択画面が表示される。送信時間選択画面には、送信時間入力表示と、即時表示とが設けられている。送信時間入力表示が選択されると、ペン入力領域枠が表示され、ペン入力による日時データがデータ送信時間メモリ２７Ｌに格納される。また、即時表示が選択されると、即時データが格納される。
【０１０６】
日時のデータが格納されて後、次に即時かの判断が行われる（Ｓ１５４０）。即時でないと判断されれば、本ルーチンをそのまま一旦終了する。一方、即時であると判断された場合には、次にデータ送信処理を実行する（Ｓ１５５０）。
【０１０７】
データ送信処理では、送信データメモリ２７Ｍに格納されている内容を即刻送信する。送信は、Ｓ１３３０で設定された伝送条件で、Ｓ１５２０で設定された送信番号に送られる。
【０１０８】
Ｓ１５１０の判断で、中止表示が選択された場合は、本ルーチンをそのまま一旦終了する。
設定表示が選択された場合には、次にデータ設定処理を実行する（Ｓ１５６０）。データ設定処理では、まず図示しないデータ設定画面が表示される。このデータ設定画面には、データ入力対象表示、入力型式選択表示が設けられている。データ入力対象表示には、たとえばデータ入出力コネクタ７３、カードコネクタ７５、カードコネクタ７７が表示されている。入力型式選択表示には、テキスト、バイナリ、ＭＭＲデータ、ＲＳ２３２Ｃ等が表示される。
【０１０９】
本データ送信処理によりデータを入力して送信するための設定が行われる。
図２７のＳ１３１０の判断で、受信データ表示表示２９９が選択された場合には、受信データ表示処理が実行される（Ｓ１３５０）。受信データ表示処理では、図示しない受信データ表示一覧画面を表示して、選択を求め、選択された受信データを、画像表示する。また、外部出力の選択があった場合には、選択されたポートから出力する。
【０１１０】
判断（Ｓ１３１０）で、中止表示３０１が選択された場合には、本ルーチンをそのまま一旦終了する。
以上に説明したデータ処理により、先方のコンピュータに直接データを送信したり、先方から送られてきたデータを表示したりすることができる。また、先方のコンピュータに付近の地図データを送ることができる。
【０１１１】
図３１は、ナビゲーション処理のフローチャートである。
図９のＳ４２０の判断で、ナビゲーションメニュー表示１３８が選択された場合に、このナビゲーション処理が起動される。
【０１１２】
まず、ナビゲーションメニュー画面の表示が行われる（Ｓ１５７０）。次いで、このメニュー画面の選択を判断し（Ｓ１５８０）、選択された処理を実行する（Ｓ１５９０）。
ナビゲーション処理では、ＧＰＳ利用者装置８の出力と、地図データＲＯＭ９６のデータとを用いたナビゲーションが行われる。
【０１１３】
図３２は、アプリケーション処理ルーチンのフローチャートである。
図９のＳ４２０の判断で、アプリケーションメニュー表示１３９が選択された場合には、次にアプリケーション処理が実行される（Ｓ４６０）。アプリケーション処理では、図３２に示すように、まずアプリケーション選択画面が表示される（Ｓ１６００）。
【０１１４】
アプリケーション選択画面の表示後、次に判断を行う（Ｓ１６１０）。判断では、アプリケーション選択画面の何れが選択されたかを判断する。ここで、中止が選択された場合には、本ルーチンをそのまま一旦終了する。また、アプリケーションが選択された場合には、次にアプリケーション実行を行う（Ｓ１６２０）。アプリケーション実行では、選択されたアプリケーションルーチンに処理を移行する。アプリケーションの例は、省略する。
【０１１５】
図３３は、設定処理ルーチンのフローチャート、図３４は、設定対象選択画面の説明図である。
図９のＳ４２０で設定メニュー表示１４１が選択された場合には、次に図３３の設定処理が実行される。まず、設定対象選択画面が表示される（Ｓ２０００）。設定対象選択画面には、図３４に示すように、設定対象選択表示４１１と、設定対象一覧４１３と、中止表示４１７とが設けられている。設定対象一覧４１３には、設定対象名表示４１５が表示されている。
【０１１６】
設定対象選択画面の表示後、次に判断を行う（Ｓ２０１０）。判断で、中止表示４１７が選択された場合には、本ルーチンをそのまま一旦終了する。一方、設定対象一覧４１３の何れかが選択された場合には、次の設定処理を実行する。
【０１１７】
ＧＰＳ関連表示４２０が選択された場合には、ＧＰＳ関連設定処理が実行される（Ｓ２０１５）。
ＦＡＸ送信表示４２１が選択された場合には、ＦＡＸ送信設定処理が実行される（Ｓ２０２０）。ＦＡＸ受信表示４２３が選択された場合には、ＦＡＸ受信設定処理（Ｓ２０３０）、データ送信表示４２５が選択された場合には、データ送信設定処理（Ｓ２０４０）、データ受信表示４２７が選択された場合には、データ受信設定処理（Ｓ２０４５）、電話発信表示４２９が選択された場合には、電話発信設定処理（Ｓ２０５０）、電話受信表示４３１が選択された場合には、電話受信設定処理（Ｓ２０６０）が実行される。
【０１１８】
Ｓ２０２０〜Ｓ２０６０の各設定処理では、所定の手順に従って、所定の内容の設定が行われる。
以上に説明したコミュニケータ制御により、使用者のデータの入出力や設定が行われる。
【０１１９】
図３５は、ＧＰＳ関連設定処理ルーチンのフローチャート、図３６は、ＧＰＳ設定画面の説明図である。ＧＰＳ関連設定処理が起動されると、まずＧＰＳ設定画面が表示される（Ｓ２０７０）。ＧＰＳ設定画面４４１は、図３６に示すように、ＧＰＳ関連設定表示４４３と、中止表示４４５と、終了表示４４７と、ＧＰＳ使用表示４４９と、不使用表示４５１と、自動応答表示４５３と、選択なし表示４５５と、電話表示４５７と、ＦＡＸ表示４５９と、データ表示４６１と、応答表示４６３と、選択なし表示４６５と、電話表示４６７と、ＦＡＸ表示４６９と、データ表示４７１とを備えている。
【０１２０】
ＧＰＳ設定画面の表示後、入力の判断を行って（Ｓ２０７５）、選択された項目の設定処理を実行する（Ｓ２０７７）。
設定処理としては、次に示すものがある。
【０１２１】
1)  ＧＰＳ使用表示４４９が選択された場合。この場合には、ＧＰＳ利用者装置８の使用がパーソナルコミュニケータ１に登録される。これにより、データ入出力コントローラ７１から現在位置データＮＥＨが所定時間毎に入力され、現在位置メモリ２７Ｎに格納される。この現在位置メモリ２７Ｎに格納されたデータは、現在位置の座標データＮＥとして所定のルーチンによって読み出され、活用される。不使用表示４５１が選択された場合は、現在位置データＮＥＨの読込処理は、キャンセルされる。
【０１２２】
2)  自動応答表示４５３の隣の電話表示４５７、ＦＡＸ表示４５９、データ表示４６１が選択された場合。これは、ＧＰＳ使用表示４４９が選択された場合のみ有効になる。ここでの自動応答とは、パーソナルコミュニケータ１が受信待機中において、他のパーソナルコミュニケータ１による現在位置の送信要求を受けるか否かを設定する処理のことである。
【０１２３】
電話表示４５７が選択された場合は、他のパーソナルコミュニケータ１から音声アナウンスによる現在位置の送信要求を受理する。これが設定されると、他のパーソナルコミュニケータ１からの現在位置の送信要求が送信されてくると、これに応答して現在位置の場所を返答する。
【０１２４】
ＦＡＸ表示４５９が選択された場合は、現在位置の画像をＦＡＸ返送する。
データ表示４６１が選択された場合は、現在位置のデータをデータ返送する。
選択なし表示４５５が選択された場合は、他のパーソナルコミュニケータ１からの送信要求には応答しなくなる。
【０１２５】
3)応答表示４６３のとなりの電話表示４６７、ＦＡＸ表示４６９、データ表示４７１が選択された場合。これは、ＧＰＳ使用表示４４９が選択された場合のみ有効になる。ここでの応答とは、パーソナルコミュニケータ１が通信中において、先方から現在位置の送信要求を受けるか否かを設定する処理のことである。
【０１２６】
電話表示４６７が選択された場合は、先方からの現在位置の送信要求を受理する。これが設定されると、例えば他のパーソナルコミュニケータ１からの現在位置の送信要求が送信されてくると、これに応答して現在位置の場所を返答する。
ＦＡＸ表示４６９が選択された場合は、現在位置の画像をＦＡＸ返送する。
【０１２７】
データ表示４７１が選択された場合は、現在位置のデータをデータ返送する。
選択なし表示４６５が選択された場合は、他のパーソナルコミュニケータ１からの送信要求には応答しなくなる。
【０１２８】
終了表示４４７が選択されると、設定データ格納処理（Ｓ２０７９）が実行され、本ルーチンは入ったん終了される。ここでのデータは、ＥＥＰＲＯＭ２９のＧＰＳ設定エリア２９Ｃに格納される。
【０１２９】
図３７は、ＧＰＳ自動応答処理ルーチンのフローチャート、図３８はＧＰＳ電話アナウンス応答処理ルーチンのフローチャート、図３９は、ＧＰＳＦＡＸ応答処理ルーチンのフローチャート、図４０は、ＧＰＳ応答処理ルーチンのフローチャートである。図３７のＧＰＳ自動応答処理と、図４０のＧＰＳ応答処理とは、ＣＰＵ２３によって、所定時間毎に起動される。
【０１３０】
図３７のＧＰＳ自動応答処理が起動されると、まずＧＰＳ自動応答呼び出し有りかを判断する（Ｓ２０８０）。ＧＰＳ自動応答呼び出しは、図示しない受信処理から出力されたＧＰＳ自動応答呼び出しフラグに基づいて判断される。図示しない受信処理は、先方からの送信データにＧＰＳ自動応答呼び出しが含まれていれば、ＧＰＳ自動応答呼び出しフラグを設定する。
【０１３１】
ここで、ＧＰＳ自動応答呼び出しがなければ、本ルーチンをそのまま一旦終了する。一方、呼び出しが有れば、次にその呼び出し内容がアナウンスであるか、ＦＡＸであるか、データであるかを判断する（Ｓ２０８１）。呼び出し内容は、ＧＰＳ自動応答呼び出しフラグから判断する。
【０１３２】
呼び出し内容がアナウンスで有れば、次にＧＰＳ電話アナウンス応答を行う（Ｓ２０８２）。一方、ＦＡＸで有れば、ＧＰＳＦＡＸ応答を行い（Ｓ２０８３）、データで有れば、ＧＰＳデータ応答を行う（Ｓ２０８４）。
【０１３３】
図３８に示すＧＰＳ電話アナウンス応答処理では、まず現在位置座標の入力を行う（Ｓ２０８６）。次いで、地図データＲＯＭのデータ入力を行い（Ｓ２０８７）、付近の特徴を抽出する（Ｓ２０８８）。次に、現在位置のアナウンスを出力する（Ｓ２０８９）。本処理により、他のパーソナルコミュニケータ１からの呼び出しに答えて、現在位置を音声で返答する。
【０１３４】
図３９のＧＰＳＦＡＸ応答処理が起動されると、まず現在位置座標の入力が行われ（Ｓ２０９０）、次いで、地図データＲＯＭのデータ入力が行われる（Ｓ２０９１）。次に、ＦＡＸ画像データの作成が行われて（Ｓ２０９２）、現在位置の地図をＦＡＸ送信する（Ｓ２０９３）。
【０１３５】
図３７のＧＰＳデータ応答処理では（Ｓ２０８４）、詳細な図示は省略するが、付近の地図データのデータ送信を実行する。
図４０のＧＰＳ応答処理が起動されると、まずＧＰＳ応答呼び出し有りかを判断する（Ｓ２０９４）。ＧＰＳ応答呼び出しは、図示しない受信処理から出力される。図示しない受信処理は、先方からの送信データにＧＰＳ応答呼び出しが含まれていれば、ＧＰＳ応答呼び出しフラグを設定する。
【０１３６】
ここで、ＧＰＳ応答呼び出しがなければ、本ルーチンをそのまま一旦終了する。一方、呼び出しが有れば、次にその呼び出し内容がアナウンスであるか、ＦＡＸであるか、データであるかを判断する（Ｓ２０９５）。呼び出し内容は、ＧＰＳ応答呼び出しフラグから判断する。
【０１３７】
呼び出し内容がアナウンスで有れば、次にＧＰＳ電話アナウンス応答を行う（Ｓ２０９６）。一方、ＦＡＸで有れば、ＧＰＳＦＡＸ応答を行い（Ｓ２０９７）、データで有れば、ＧＰＳデータ応答を行う（Ｓ２０９８）。
【０１３８】
図４１は、ＦＡＸ送信時間モニタ処理ルーチンのフローチャート、図４２は、データ送信時間モニタ処理ルーチンのフローチャートである。これは、ＣＰＵ２３によって所定時間毎に起動される。図４１のＦＡＸ送信時間モニタ処理が起動されると、まず送信待があるか否かを判断する（Ｓ２１００）。送信待は、ＦＡＸデータメモリ２７Ａ内に、ＦＡＸデータが格納されているか否かで判断する。ここで、送信待でないと判断した場合には、本ルーチンをそのまま一旦終了する。一方、送信待があれば、次に送信時間か否かを判断する（Ｓ２１１０）。送信時間は、送信時間メモリ２７Ｄに設定されている送信時間を現在時刻と対比することにより行う。
【０１３９】
ここで、送信時間でなければ、本ルーチンをそのまま一旦終了する。送信時間であれば、次にＦＡＸ送信を行う（Ｓ２１２０）。
以上に説明したＦＡＸ送信時間モニタ処理により、ＦＡＸの予約送信が行われる。
【０１４０】
図４２のデータ送信時間モニタが起動されると、まず送信待ちがあるかが判断される（Ｓ２２００）。送信待は、送信データメモリ２７Ｍ内に、データが格納されているか否かで判断する。ここで、送信待でないと判断した場合には、本ルーチンをそのまま一旦終了する。一方、送信待があれば、次に送信時間か否かを判断する（Ｓ２２１０）。送信時間は、データ送信時間メモリ２７Ｌに設定されている送信時間を現在時刻と対比することにより行う。
【０１４１】
ここで、送信時間でなければ、本ルーチンをそのまま一旦終了する。送信時間であれば、次にデータ送信を行う（Ｓ２２２０）。
以上に説明したデータ送信時間モニタ処理により、データの予約送信が行われる。
【０１４２】
以上に説明したパーソナルコミュニケータ１は、電話通話、ＦＡＸ通信、データ通信、各種アプリケーション処理などを、キーボード操作を行うことなく行なうことができるとともに、これらの全てを一式携帯することができる。
【０１４３】
しかも、現在位置の情報を先方に音声、ＦＡＸ、データ通信で送信することができる。
また、オンスイッチ１７、オフスイッチ１９の操作状態に拘りなく、図６に示すディスプレイ制御を行うので、パーソナルコミュニケータ１の動作状態を常時モニタすることができる。
この結果、利便性が高い携帯型の情報交換装置が得られるという極めて優れ効果を奏する。
【図面の簡単な説明】
【０１４４】
【図１】パーソナルコミュニケータ１の斜視図である。
【図２】パーソナルコミュニケータ１の斜視図である。
【図３】パーソナルコミュニケータ１のブロック図である。
【図４】ディスプレイ１５の表示状態の説明図である。
【図５】ディスプレイ制御の説明図である。
【図６】ディスプレイ制御処理ルーチンのフローチャートである。
【図７】モニタ制御処理ルーチンのフローチャートである。
【図８】パーソナルコミュニケータ１の待機、及び充電状態の使用状態図である。
【図９】コミュニケータ制御処理ルーチンのフローチャートである。
【図１０】現況報告画面の説明図である。
【図１１】ＦＡＸ処理ルーチンのフローチャートである。
【図１２】文書入力画面の説明図である。
【図１３】ＦＡＸメニュー処理ルーチンのフローチャートである。
【図１４】ＦＡＸメニュー画面の説明図である。
【図１５】ＦＡＸ送信処理ルーチンのフローチャートである。
【図１６】ＦＡＸ送信画面の説明図である。
【図１７】受信ＦＡＸ表示処理ルーチンのフローチャートである。
【図１８】受信ＦＡＸ一覧画面の説明図である。
【図１９】削除処理ルーチンのフローチャートである。
【図２０】電話処理ルーチンのフローチャートである。
【図２１】電話メニュー画面の説明図である。
【図２２】電話メニュー画面の説明図である。
【図２３】電話メニュー画面の説明図である。
【図２４】メッセージ選択画面の説明図である。
【図２５】設定処理ルーチンのフローチャートである。
【図２６】留守録表示処理ルーチンのフローチャートである。
【図２７】データ処理ルーチンのフローチャートである。
【図２８】データ入力画面の説明図である。
【図２９】伝送条件設定処理ルーチンのフローチャートである。
【図３０】データ送信処理ルーチンのフローチャートである。
【図３１】ナビゲーション処理ルーチンのフローチャートである。
【図３２】アプリケーション処理ルーチンのフローチャートである。
【図３３】設定処理ルーチンのフローチャートである。
【図３４】設定対象選択画面の説明図である。
【図３５】ＧＰＳ関連設定処理ルーチンのフローチャートである。
【図３６】ＧＰＳ設定画面の説明図である。
【図３７】ＧＰＳ自動応答処理ルーチンのフローチャートである。
【図３８】ＧＰＳ電話アナウンス応答処理ルーチンのフローチャートである。
【図３９】ＧＰＳＦＡＸ応答処理ルーチンのフローチャートである。
【図４０】ＧＰＳ応答処理ルーチンのフローチャートである。
【図４１】ＦＡＸ送信時間モニタ処理ルーチンのフローチャートである。
【図４２】データ送信時間モニタ処理ルーチンのフローチャートである。
【符号の説明】
【０１４５】
１…パーソナルコミュニケータ
３…ペン入力デバイス
５…本体
７…無線電話装置
８…ＧＰＳ利用者装置
２７Ｎ…現在位置メモリ
７１…データ入出力コントローラ
９６…地図データＲＯＭ